(57)【要約】【課題】浄水機能付きシャワーヘッドの把持部１１０に収容され原水流路と浄水流路とを形成する水質浄化用カートリッジ１３０を提供する。【解決手段】円筒形状に形成された水質浄化材からなるカートリッジ本体１３３と、カートリッジ本体１３３の下流側の端面を被覆するとともに中央空間部１３２に連通する接続口を穿設した接続端を有し、この接続端を把持部のカートリッジ受け１１６に差し込み固定する下流端接続部材１３０ａと、カートリッジ本体１３３の上流側の端面を閉鎖するとともに、把持部１１０の水流入口の周縁近傍に設けられた突起物１１２ａに当接してカートリッジ本体１３３を軸方向に位置固定する上流端閉鎖部材１３０ｂとからなり、把持部１１０内に、外周側流路１３１から中央空間部１３２へ水質浄化材１３３を透過して水が吐出される浄水流路と、水質浄化材１３３を透過せずに外周側流路１３１を通過して水が吐出される原水流路とを形成する。【選択図】図５
2010203228.tif 000002
【特許請求の範囲】
【請求項１】
円筒形状に形成したシャワーヘッドの把持部内に収容される浄水機能付きシャワーヘッドの水質浄化用カートリッジであって、
中央空間部を有する円筒形状に形成され、その外周面が上記把持部の内周面との間に外周側流路となる隙間を形成して把持部内に同心的に収容され、水が透過可能な水質浄化材からなるカートリッジ本体と、
このカートリッジ本体の下流側の端面を被覆するとともに上記中央空間部に連通する接続口を穿設した接続端を有し、この接続端を把持部のカートリッジ受けに差し込み固定する下流端接続部材と、
上記カートリッジ本体の上流側の端面を閉鎖するとともに、把持部底部の水流入口の周縁近傍に設けられた突起物に当接してカートリッジ本体を軸方向に位置固定する上流端閉鎖部材とからなり、
上記把持部内に、上記外周側流路から上記中央空間部へ上記水質浄化材を透過して水が吐出される浄水流路と、上記水質浄化材を透過せずに上記外周側流路を通過して水が吐出される原水流路とを形成することを特徴とする浄水機能付きシャワーヘッドの水質浄化用カートリッジ。
【請求項２】
上記上流端閉鎖部材をその上流側端面および外周面で上記突起物に当接させて、上記カートリッジ本体を軸方向および径方向に位置固定することを特徴とする請求項１記載の浄水機能付きシャワーヘッドの水質浄化用カートリッジ。
【発明の詳細な説明】
【技術分野】
【０００１】
本発明は、台所または厨房、洗面所あるいは風呂場等で用いられ、使用時に吐出する水および／または湯を浄化する能力を具備した浄水機能付きシャワーヘッドに収容されて使用される水質浄化用カートリッジに関する。
【背景技術】
【０００２】
従来、洗面所あるいは風呂場等で用いられる洗面装置やシャワー装置等に取り付けられ、水、湯、または湯水混合水（以下、単に混合水という）の水質浄化能力を具備したシャワーヘッドには、例えば特許文献１（特開平11−9485号）記載の浄水シャワーがあった。
この浄水シャワーでは、把持部内に保湿剤充填部と脱塩素剤充填部とを設けて切り換え装置により脱塩素剤充填部のみを通過して塩素除去するか、または保湿剤充填部と脱塩素剤充填部の両方を通過して塩素除去するとともに保湿成分を含む水とすることができる。
【０００３】
〔問題点〕
このような従来の浄水シャワーでは脱塩素剤充填部のみを通過して塩素除去するか、または保湿剤充填部と脱塩素剤充填部の両方を通過して塩素除去するとともに保湿成分を含むようにすることができるようにしているが、原水をそのまま吐出することができるような構成にはなっていないため、保湿剤および脱塩素剤の消耗が激しく、また、原水を直に使用したい場合には、他の蛇口を使用しなければならない不便さがあって、原水吐出もできるものが望まれていた。
【先行技術文献】
【特許文献】
【０００４】
【特許文献１】特開平１１−９４８５号公報
【発明の概要】
【発明が解決しようとする課題】
【０００５】
本発明は、従来の技術における前記問題点に鑑みて成されたものであり、これを解決するため具体的に設定された課題は、原水と浄水との流路の切換が容易であり、取扱いおよび製造が容易で、安価な浄水機能付きシャワーヘッドを実現するために、確実に把持部内に原水流路および浄水流路を形成する水質浄化用カートリッジを提供することにある。
【課題を解決するための手段】
【０００６】
前記課題を効果的に解決できるように構成した手段としての、本発明における請求項１に係る浄水機能付きシャワーヘッドの水質浄化用カートリッジは、円筒形状に形成したシャワーヘッドの把持部内に収容される浄水機能付きシャワーヘッドの水質浄化用カートリッジであって、中央空間部を有する円筒形状に形成され、その外周面が上記把持部の内周面との間に外周側流路となる隙間を形成して把持部内に同心的に収容され、水が透過可能な水質浄化材からなるカートリッジ本体と、このカートリッジ本体の下流側の端面を被覆するとともに上記中央空間部に連通する接続口を穿設した接続端を有し、この接続端を把持部のカートリッジ受けに差し込み固定する下流端接続部材と、上記カートリッジ本体の上流側の端面を閉鎖するとともに、把持部底部の水流入口の周縁近傍に設けられた突起物に当接してカートリッジ本体を軸方向に位置固定する上流端閉鎖部材とからなり、上記把持部内に、上記外周側流路から上記中央空間部へ上記水質浄化材を透過して水が吐出される浄水流路と、上記水質浄化材を透過せずに上記外周側流路を通過して水が吐出される原水流路とを形成することを特徴とするものである。
【０００７】
また、請求項２に係る浄水機能付きシャワーヘッドの水質浄化用カートリッジは、上記上流端閉鎖部材をその上流側端面および外周面で上記突起物に当接させて、上記カートリッジ本体を軸方向および径方向に位置固定することを特徴とする。
【発明の効果】
【０００８】
以上のように請求項１に係る浄水機能付きシャワーヘッドの水質浄化用カートリッジは、円筒形状に形成したシャワーヘッドの把持部内に収容される浄水機能付きシャワーヘッドの水質浄化用カートリッジであって、中央空間部を有する円筒形状に形成され、その外周面が上記把持部の内周面との間に外周側流路となる隙間を形成して把持部内に同心的に収容され、水が透過可能な水質浄化材からなるカートリッジ本体と、このカートリッジ本体の下流側の端面を被覆するとともに上記中央空間部に連通する接続口を穿設した接続端を有し、この接続端を把持部のカートリッジ受けに差し込み固定する下流端接続部材と、上記カートリッジ本体の上流側の端面を閉鎖するとともに、把持部底部の水流入口の周縁近傍に設けられた突起物に当接してカートリッジ本体を軸方向に位置固定する上流端閉鎖部材とからなり、上記把持部内に、上記外周側流路から上記中央空間部へ上記水質浄化材を透過して水が吐出される浄水流路と、上記水質浄化材を透過せずに上記外周側流路を通過して水が吐出される原水流路とを形成することにより、浄水流路を開状態にすると水質浄化材を透過して浄化された浄水が吐出され、原水流路を開状態にすると外周側流路を通過した原水が吐出され、浄水吐出と原水吐出とを容易に切り換えることができる。
また、原水吐出時に外周側流路を通過する原水（混合水）によって、浄水吐出時に溜まったカートリッジ本体の表面の蓄積物が洗い流され、目詰りを起こしにくくするとともにカートリッジ本体の水質浄化材の劣化を防止するようになり、長時間、水質浄化性能を高レベルに維持できるようになる。
さらに、下流端接続部材の接続端を把持部のカートリッジ受けに差し込み固定することで、中央空間部をシャワーヘッド下流側へ連通させるとともに水質浄化用カートリッジの芯出しおよび位置固定をすることができる。また、上流端閉鎖部材が、把持部の水流入口の周縁近傍に設けられた突起物に当接してカートリッジ本体を軸方向に位置固定することにより、上流側端面でリブに支持されて水を水流入口から外周側流路へ流す隙間を形成するとともに、接続端のカートリッジ受けからの離脱を防止することができ、把持部内に浄水流路と原水流路とを確実に設けることができる。
【０００９】
また、請求項２に係る浄水機能付きシャワーヘッドの水質浄化用カートリッジは、上記上流端閉鎖部材をその上流側端面および外周面で上記突起物に当接させて、上記カートリッジ本体を軸方向および径方向に位置固定することにより、下流端接続部材と上流端閉鎖部材とがカートリッジ本体を確実に把持部内で同心的に位置固定して、均等な外周側流路を形成することができ、良好な水質浄化と原水吐出時の洗い流しを実現するとともに、シャワーヘッド使用時の衝撃や水圧により挿入端にかかる径方向の力を上流端閉鎖部材が緩和して、破損を防止することができる。
【図面の簡単な説明】
【００１０】
【図１】本発明の第１実施形態の浄水機能付きシャワーヘッドを示す平面図である。
【図２】同上浄水機能付きシャワーヘッドを示す右側面図である。
【図３】同上浄水機能付きシャワーヘッドを示す左側面図である。
【図４】同上浄水機能付きシャワーヘッドを浄水吐出時の状態で示す側面断面図（図１のＡ−Ａ矢視図）である。
【図５】同上浄水機能付きシャワーヘッドを浄水吐出時の状態で示す平面断面図（図２のＢ−Ｂ矢視図）である。
【図６】同上浄水機能付きシャワーヘッドの浄水吐出時の状態における流路切換弁の位置で示す横断面図（図２のＣ−Ｃ矢視図）である。
【図７】同上浄水機能付きシャワーヘッドの頭部を示す下平面図である。
【図８】同上浄水機能付きシャワーヘッドの頭部を示す側面断面図（図７のＤ−Ｄ矢視図）である。
【図９】同上浄水機能付きシャワーヘッドの頭部に形成された流路切換弁配設位置における横断面図（図８のＥ−Ｅ矢視図）である。
【図１０】同上浄水機能付きシャワーヘッドにおける把持部のホース接続側の筒部を示す側面図である。
【図１１】同上浄水機能付きシャワーヘッドにおける把持部のホース接続側の筒部を示す正面図である。
【図１２】同上浄水機能付きシャワーヘッドにおける把持部のホース接続側の筒部を示す後正面図である。
【図１３】同上浄水機能付きシャワーヘッドにおける把持部のホース接続側の筒部を示す縦断面図（図１０のＦ−Ｆ矢視図）である。
【図１４】同上浄水機能付きシャワーヘッドにおける流路切換弁の突出部を示す正面図である。
【図１５】同上浄水機能付きシャワーヘッドにおける流路切換弁の突出部を示す下平面図である。
【図１６】同上浄水機能付きシャワーヘッドにおける流路切換弁の突出部を示す縦断面図（図１４のＧ−Ｇ矢視図）である。
【図１７】同上浄水機能付きシャワーヘッドにおける流路切換弁の弁座形成部材を示す正面図である。
【図１８】同上浄水機能付きシャワーヘッドにおける流路切換弁の弁座形成部材を示す縦断面図（図１７のＨ−Ｈ矢視図）である。
【図１９】同上浄水機能付きシャワーヘッドにおける流路切換弁の弁座形成部材を示す後正面図である。
【図２０】同上浄水機能付きシャワーヘッドにおける流路切換弁の弁体形成部材を示す正面図である。
【図２１】同上浄水機能付きシャワーヘッドにおける流路切換弁の弁体形成部材を示す浄水吐出側の孔を通る縦断面図（図２０のＩ−Ｉ矢視図）である。
【図２２】同上浄水機能付きシャワーヘッドにおける流路切換弁の弁体形成部材を示す原水吐出側の孔を通る縦断面図（図２０のＪ−Ｊ矢視図）である。
【図２３】同上浄水機能付きシャワーヘッドにおける流路切換弁の弁体形成部材を示す後正面図である。
【図２４】同上浄水機能付きシャワーヘッドにおける仕切部材を示す平面図である。
【図２５】同上浄水機能付きシャワーヘッドにおける仕切部材を示す側面断面図（図２４のＫ−Ｋ矢視図）である。
【図２６】同上浄水機能付きシャワーヘッドにおける仕切部材を示す下平面図である。
【図２７】同上浄水機能付きシャワーヘッドにおける集合通過部材を示す平面図である。
【図２８】同上浄水機能付きシャワーヘッドにおける集合通過部材を示す側面断面図（図２７のＬ−Ｌ矢視図）である。
【図２９】同上浄水機能付きシャワーヘッドにおける集合通過部材を示す下平面図である。
【図３０】同上浄水機能付きシャワーヘッドにおけるシャワープレートを示す平面図である。
【図３１】同上浄水機能付きシャワーヘッドにおけるシャワープレートを示す左側面図である。
【図３２】同上浄水機能付きシャワーヘッドにおけるシャワープレートを示す縦断面図（図３０のＭ−Ｍ矢視図）である。
【図３３】同上浄水機能付きシャワーヘッドにおけるシャワープレートを示す下平面図である。
【図３４】同上浄水機能付きシャワーヘッドにおけるストレート吐出用流路形成部材を示す平面図である。
【図３５】同上浄水機能付きシャワーヘッドにおけるストレート吐出用流路形成部材を示す縦断面図（図３４のＮ−Ｎ矢視図）である。
【図３６】同上浄水機能付きシャワーヘッドにおけるストレート吐出用流路形成部材を示す下平面図である。
【図３７】同上浄水機能付きシャワーヘッドにおける吐出切換弁の切換レバーを示す説明図であり、（Ａ）は側面図、（Ｂ）は正面図、（Ｃ）は後正面図、（Ｄ）は平面図、（Ｅ）は下平面図である。
【図３８】同上浄水機能付きシャワーヘッドにおける吐出切換弁の弁体を示す説明図であり、（Ａ）は側面図、（Ｂ）は正面図、（Ｃ）は後正面図、（Ｄ）は平面図、（Ｅ）は下平面図である。
【図３９】同上浄水機能付きシャワーヘッドにおける吐出切換弁の弁体を示す側面断面図（図３８（Ｄ）のＰ−Ｐ矢視図）である。
【図４０】同上浄水機能付きシャワーヘッドを原水吐出時の状態で示す平面断面図（図２のＢ−Ｂ矢視相当図）である。
【図４１】同上浄水機能付きシャワーヘッドを原水吐出時の状態で示す側面断面図（図１のＡ−Ａ矢視相当図）である。
【図４２】同上浄水機能付きシャワーヘッドを原水吐出時の状態で示す流路切換弁の位置における横断面図（図２のＣ−Ｃ矢視相当図）である。
【図４３】本発明の第２実施形態の浄水機能付きシャワーヘッドにおける浄水吐出時の状態を示す平面断面図（図２のＢ−Ｂ矢視相当図）である。
【図４４】同上浄水機能付きシャワーヘッドにおける浄水吐出時の状態を示す側面断面図（図１のＡ−Ａ矢視相当図）である。
【図４５】同上浄水機能付きシャワーヘッドにおける流路切換弁の位置で示す横断面図（図２のＣ−Ｃ矢視相当図）である。
【図４６】同上浄水機能付きシャワーヘッドにおける把持部のホース接続側の筒部を示す下平面図である。
【図４７】同上浄水機能付きシャワーヘッドにおける把持部のホース接続側の筒部を示す正面図である。
【図４８】同上浄水機能付きシャワーヘッドにおける把持部のホース接続側の筒部を示す後正面図である。
【図４９】同上浄水機能付きシャワーヘッドにおける把持部のホース接続側の筒部を示す側面断面図（図４６のＦ−Ｆ矢視図）である。
【図５０】同上浄水機能付きシャワーヘッドにおける流路切換弁の弁座形成部材を示す正面図である。
【図５１】同上浄水機能付きシャワーヘッドにおける流路切換弁の弁座形成部材を示す側面断面図（図５０のＨ−Ｈ矢視図）である。
【図５２】同上浄水機能付きシャワーヘッドにおける流路切換弁の弁体形成部材を示す正面図である。
【図５３】同上浄水機能付きシャワーヘッドにおける流路切換弁の弁体形成部材を示す原水吐出側の孔を通る縦断面図（図５２のＩ−Ｉ矢視図）である。
【図５４】同上浄水機能付きシャワーヘッドにおける流路切換弁の弁体形成部材を示す浄水吐出側の孔を通る縦断面図（図５２のＪ−Ｊ矢視図）である。
【図５５】同上浄水機能付きシャワーヘッドにおける流路切換弁の弁体形成部材を示す後正面図である。
【図５６】同上浄水機能付きシャワーヘッドを原水吐出時の状態で示す平面断面図（図２のＢ−Ｂ矢視相当図）である。
【図５７】同上浄水機能付きシャワーヘッドを原水吐出時の状態で示す側面断面図（図１のＡ−Ａ矢視相当図）である。
【図５８】同上浄水機能付きシャワーヘッドの原水吐出時の状態における流路切換弁の位置で示す横断面図（図２のＣ−Ｃ矢視相当図）である。
【図５９】本発明の第３実施形態の浄水機能付きシャワーヘッドを示す平面図である。
【図６０】同上浄水機能付きシャワーヘッドを示す右側面図である。
【図６１】同上浄水機能付きシャワーヘッドを示す左側面図である。
【図６２】同上浄水機能付きシャワーヘッドを浄水吐出時の状態で示す平面断面図（図６０のＢ−Ｂ矢視図）である。
【図６３】同上浄水機能付きシャワーヘッドを浄水吐出時の状態で示す側面断面図（図５９のＡ−Ａ矢視図）である。
【図６４】同上浄水機能付きシャワーヘッドを浄水吐出時の状態における流路切換弁の位置で示す横断面図（図６０のＣ−Ｃ矢視図）である。
【図６５】同上浄水機能付きシャワーヘッドの頭部を示す下平面図である。
【図６６】同上浄水機能付きシャワーヘッドの頭部を示す側面断面図（図６５のＤ−Ｄ矢視図）である。
【図６７】同上浄水機能付きシャワーヘッドにおけるホース接続側の把持部を示す平面図である。
【図６８】同上浄水機能付きシャワーヘッドにおけるホース接続側の把持部を示す正面図である。
【図６９】同上浄水機能付きシャワーヘッドにおけるホース接続側の把持部を示す後正面図である。
【図７０】同上浄水機能付きシャワーヘッドにおけるホース接続側の把持部を示す側面断面図（図６７のＦ−Ｆ矢視図）である。
【図７１】同上浄水機能付きシャワーヘッドにおける流路切換弁の突出部を示す正面図である。
【図７２】同上浄水機能付きシャワーヘッドにおける流路切換弁の突出部を示す下平面図である。
【図７３】同上浄水機能付きシャワーヘッドにおける流路切換弁の突出部を示す側面断面図（図７１のＧ−Ｇ矢視図）である。
【図７４】同上浄水機能付きシャワーヘッドにおける流路切換弁の弁座形成部材を示す正面図である。
【図７５】同上浄水機能付きシャワーヘッドにおける流路切換弁の弁座形成部材を示す側面断面図（図７４のＨ−Ｈ矢視図）である。
【図７６】同上浄水機能付きシャワーヘッドにおける流路切換弁の弁座形成部材を示す後正面図である。
【図７７】同上浄水機能付きシャワーヘッドにおける流路切換弁の弁体形成部材を示す正面図である。
【図７８】同上浄水機能付きシャワーヘッドにおける流路切換弁の弁体形成部材を示す原水吐出側の孔を通る側面断面図（図７７のＩ−Ｉ矢視図）である。
【図７９】同上浄水機能付きシャワーヘッドにおける流路切換弁の弁体形成部材を示す浄水吐出側の孔を通る側面断面図（図７７のＪ−Ｊ矢視図）である。
【図８０】同上浄水機能付きシャワーヘッドにおける流路切換弁の弁体形成部材を示す後正面図である。
【図８１】同上浄水機能付きシャワーヘッドを原水吐出時の状態で示す平面断面図（図６０のＢ−Ｂ矢視相当図）である。
【図８２】同上浄水機能付きシャワーヘッドを原水吐出時の状態で示す側面断面図（図５９のＡ−Ａ矢視相当図）である。
【図８３】同上浄水機能付きシャワーヘッドの原水吐出時の状態における流路切換弁の位置で示す横断面図（図６０のＣ−Ｃ矢視相当図）である。
【図８４】本発明の第４実施形態の浄水機能付きシャワーヘッドにおける浄水吐出時の状態を示す平面断面図（図６０のＢ−Ｂ矢視相当図）である。
【図８５】同上浄水機能付きシャワーヘッドにおける浄水吐出時の状態を示す側面断面図（図５９のＡ−Ａ矢視相当図）である。
【図８６】同上浄水機能付きシャワーヘッドにおける浄水吐出時の状態を流路切換弁の位置で示す横断面図（図６０のＣ−Ｃ矢視相当図）である。
【図８７】同上浄水機能付きシャワーヘッドの頭部を示す下平面図である。
【図８８】同上浄水機能付きシャワーヘッドの頭部を示す側面断面図（図８７のＤ−Ｄ矢視図）である。
【図８９】同上浄水機能付きシャワーヘッドの頭部を示す後正面図（図８８のＥ矢視図）である。
【図９０】同上浄水機能付きシャワーヘッドを原水吐出時の状態で示す平面断面図（図６０のＢ−Ｂ矢視相当図）である。
【図９１】同上浄水機能付きシャワーヘッドを原水吐出時の状態で示す側面断面図（図５９のＡ−Ａ矢視相当図）である。
【図９２】同上浄水機能付きシャワーヘッドの原水吐出時の状態における流路切換弁の位置で示す横断面図（図６０のＣ−Ｃ矢視相当図）である。
【発明を実施するための形態】
【００１１】
本発明における以下の実施の形態では、水質浄化用カートリッジを収容し、把持部の外面に沿わせた切換部材を有する流路切換弁を設けた浄水機能付きシャワーヘッドについて、具体的に説明する。
なお、この実施の形態は、発明の趣旨をより良く理解させるため具体的に説明するものであり、特に指定のない限り、発明内容を限定するものではない。
【００１２】
〔第１実施形態〕
〔構成〕
ここで用いられる把持部の外面に沿わせた切換部材を有する流路切換弁を設けた浄水機能付きシャワーヘッドは、通常、台所の流しで混合水を必要に応じて浄化して使用するシャワーヘッドとして形成する。
このため、浄水機能付きシャワーヘッド１００は、図１〜３の外観図に示すように、図示しない混合水栓または混合水栓に設けられたホースに取付けできる端部を有する把持部１１０と、この把持部１１０の混合水栓取付側とは反対側の端部でシャワー吐出することができるようにした頭部１２０とを備える。
【００１３】
把持部１１０は、頭部１２０側に直結した筒部１１１と混合水栓取付側の筒部１１２とに中間部で分け、この中間部に両筒部１１１，１１２を着脱自在かつ一体的に組み合わせることができるようにするねじ結合部を形成した中継部１１３を形成し、この中継部１１３の螺合を解除して筒部１１１と筒部１１２を分離することにより、把持部１１０の内部に水質浄化用カートリッジ１３０（図４，５参照）を収容することができるようにし、そして、混合水栓取付側の端部には厚肉円筒状のホース接続部１１４を設け、その先端部にホース取付ねじ１１５を形成して、ホースとの着脱を容易にする。
また、把持部１１０の頭部直近の端部には、流路切換弁１４０（図４，５参照）の操作端である突出部１４１を突き出して、把持部１１０の外部から流路切換弁１４０を操作できるように形成する。
【００１４】
頭部１２０は、把持部１１０から流入した混合水が滞留する空間（空洞）１２０ａ（図４，５参照）を形成するとともに混合水が一様に吐出する吐出面を有するシャワープレート１２１を着脱自在に形成し、そのシャワープレート１２１の中央部にストレート吐出口１２２（図４参照）を設け、その周囲を囲むようにシャワー吐出口１２３（図４参照）を設け、ストレート吐出とシャワー吐出とを切り換える吐出切換弁１５０（図４参照）を内設し、その吐出切換弁１５０の操作部となる切換レバー１５１をシャワープレート１２１の外部に突出配置する。
【００１５】
水質浄化用カートリッジを収容した浄水機能付きシャワーヘッド１００は、図４，５に示すように、水質浄化用カートリッジ１３０の外周側流路１３１を原水流路の一部とし、水質浄化用カートリッジ１３０の中央空間部１３２を浄水流路の一部として利用する。
この場合の水質浄化用カートリッジ１３０は、中心軸と同心的に軸方向に長い貫通孔（中央空間部１３２）を設けて筒状に形成した活性炭を主成分とする水質浄化材１３３と、その外周面に不織布、スポンジまたは網等からなるフィルタ１３４を周設したものに、把持部内で同心的に嵌め合い位置固定するための端部用キャップ１３０ａ，１３０ｂを各端部に取り付けたものである。
【００１６】
把持部１１０の頭部１２０側に位置する筒部１１１には、内部に水質浄化用カートリッジ１３０の下流側（頭部側）の端部を差し込み固定する円筒状のカートリッジ受け１１６を突設した流路切換弁１４０を内蔵し、流路切換弁１４０の操作部である突出部１４１を指掛け可能に突設し、前記のカートリッジ受け１１６に水質浄化用カートリッジ１３０に設けられた下流側の端部用キャップ１３０ａの挿入端を差し込むことによって、水質浄化用カートリッジ１３０の下流側端部を芯出しおよび位置固定できるようにし、中継部１１３を螺合して筒部１１２を筒部１１１に組付けることによって水質浄化用カートリッジ１３０の上流側（ホース接続側）の端部を筒部１１２の上流側に位置する端部の内側に設けられたリブ１１２ａによって芯出しおよび位置固定して、把持部１１０の中に水質浄化用カートリッジ１３０を略同軸的に収容する。
【００１７】
そして、カートリッジ受け１１６の外周側の流路１１６ａは、水質浄化用カートリッジ１３０の外周側流路１３１と連通して原水流路の一部となり、さらにカートリッジ受け１１６の内面側の流路１１６ｂは、水質浄化用カートリッジ１３０の中央空間部１３２と連通して浄水流路の一部として利用される。
【００１８】
流路切換弁１４０の突出部１４１を浄水吐出位置に合わせた場合（図６参照）には、流路切換弁１４０のカートリッジ受け外面側に形成された流路１１６ａに連通する流路が閉鎖状態となり、把持部１１０内に流入した混合水が、水質浄化用カートリッジ１３０の外周側流路１３１からフィルタ１３４および水質浄化材１３３を通過して水質を浄化しつつ水質浄化材１３３の中央空間部１３２に流出して、カートリッジ受け１１６の内面側の流路１１６ｂを介して頭部１２０に形成された空間１２０ａに流出し、吐出切換弁１５０の選択に従って、空間１２０ａからストレート吐出口１２２またはシャワー吐出口１２３を介してシャワープレート１２１の外部に吐出する。
【００１９】
また、流路切換弁１４０の突出部１４１を原水吐出位置に合わせた場合（図４２参照）は、流路切換弁１４０のカートリッジ受け外面側に形成された流路１１６ａに連通する流路が開放状態となり、把持部１１０内に流入した混合水が、水質浄化用カートリッジ１３０の外周側流路１３１を通過し、カートリッジ受け１１６の外面側の流路１１６ａを介して頭部１２０に形成された空間１２０ａに流出し、吐出切換弁１５０の選択に従って、ストレート吐出口１２２またはシャワー吐出口１２３を介してシャワープレート１２１の外部に吐出する。
【００２０】
頭部１２０の内部に形成された空間１２０ａの下流側であって吐出切換弁１５０を収容する部分の上流側には、空間１２０ａとシャワー吐出面上流側空間１２０ｃとの間を仕切る仕切部材１２５を設け、その仕切部材１２５の円盤状仕切板１２５ａの中央部に集合通過部材１２６を設ける。
仕切部材１２５の下流側に設けられる吐出切換弁１５０は、その弁体１５０ａが集合通過部材１２６の直下に位置できるように配置する。
集合通過部材１２６および吐出切換弁１５０の弁体１５０ａが上下に配置された位置の、さらに下流側には、シャワープレート１２１に形成されたストレート吐出口１２２に連通するストレート吐出用流路形成部材１２７を立設する。
【００２１】
吐出切換弁１５０は、弁体１５０ａを集合通過部材１２６から僅かに隙間をあけた直近の下流に配置し、弁体１５０ａの下面をストレート吐出用流路形成部材１２７の上端に形成された開口１２７ａに接触できる直近の位置に配置して、ストレート吐出用流路形成部材１２７の蓋として上部から覆い被さることができるようにし、また、切換レバー１５１の操作によって、弁体１５０ａが開口１２７ａの真上の位置から弁体１５０ａの全体が開口１２７ａの位置から外れるまでの範囲で、弁体１５０ａがストレート吐出用流路形成部材１２７の上端に出入り自在に回動できるように、切換レバー１５１の回動角度を設定する。
【００２２】
頭部１２０は、図７〜９に示すように、把持部側に筒部１１１を突出し、その突出した筒部１１１の先端部には筒部１１２との嵌合用の円筒内面１１３ａと雌ねじ１１３ｂとを内面側に形成して中継部１１３の雌側として筒部１１２とのねじ結合ができるようにし、雌ねじ１１３ｂの奥には流路切換弁１４０を内嵌する嵌合用内面として必要な径の円筒内面１１３ｄを形成し、この円筒内面１１３ｄを形成した箇所の軸方向中央部に流路切換弁１４０の操作端となる突出部１４１を貫通させる周方向に長辺を向けた平面形状が長方形の孔１１１ａを穿設する。この長方形の孔１１１ａの長辺の長さは流路切換弁１４０の操作角に従う突出部１４１の最大移動距離に合わせて規定する。
そして、吐出側には頂部が曲面に形成され主要部が略円筒状に形成されて内部に特別な突出部が設けられていない空洞となっている頭部外皮１２０ｂを形成し、仕切板や吐出切換弁等を収容することができるようにする。
【００２３】
中継部１１３を介して頭部１２０に一体化された筒部１１１と分離結合可能に形成されるホース接続側の筒部１１２は、図１０〜１３に示すように、略円筒形状で、ホース接続側の端部に円形の孔を設けた端面１１２ｂを有し、その端面から厚肉円筒状のホース接続部１１４を突出し、その先端部にホース取付ねじ１１５を形成し、ホース接続部１１４を設けた端部の反対側に位置する端部には、外面側に雄ねじ１１３ｃと筒部１１１の円筒内面１１３ａに嵌合するための円筒外面１１３ｅとを形成して中継部１１３の雄側を形成する。
【００２４】
筒部１１２の内面側には、上流側の端部および端面１１２ｂに水質浄化用カートリッジ１３０のホース接続側の端部用キャップ１３０ｂの端縁部の寸法に合わせて内側の寸法を形成した複数のリブ１１２ａ，…，１１２ａを突出し、水質浄化用カートリッジ１３０の収容時に端部用キャップ１３０ｂの端縁部を支持して、水質浄化用カートリッジ１３０を同心的に位置固定することができるようにするとともに、混合水がホース接続側より流入する場合のガイドおよび渦消し部材とする。
また、ホース接続部１１４の外周側には突起部１１４ａを突出し、水栓本体のホルダ部に嵌め込み支持する際の位置決めリブとする。
【００２５】
原水と浄水とを切り換える流路切換弁１４０は、図４〜６に示すように、弁開閉動作を行うための操作部材となる突出部１４１と、筒部１１１に固定する弁座形成部材１４２と、突出部１４１により動かされる弁体形成部材１４３とからなる。
突出部１４１は、図１４〜１６に示すように、中央部に指掛部１４１ａを放射方向外方に突設し、筒部１１１の外周に沿って湾曲させて、操作時の動作範囲全域について筒部１１１に穿設された長方形の孔１１１ａを覆うことができる湾曲板状に形成された操作部材１４１ｂと、この操作部材１４１ｂの指掛部突設側とは反対側の位置（湾曲面の内側中央部）に突設した弁体形成部材１４３に対する係止部１４１ｃとからなる。
【００２６】
弁座形成部材１４２は、図１７〜１９に示すように、筒部１１１の水質浄化用カートリッジ収容部側と頭部１２０の空間形成側との間を仕切る仕切板を形成する円板部１４２ａと、その外周縁の一面側に筒部１１１に内嵌する嵌合用の外形を形成してリング状に突出した周縁突出部１４２ｂと、他面側に弁体形成部材１４３を内嵌する円筒状に形成された弁体嵌合部１４２ｃと、円板部１４２ａの中心と周辺との中間位置に厚肉部１４２ｄを形成してその中心位置に穿設した流路となる孔１４２ｅと、弁体内嵌側の面における孔１４２ｅを穿設した位置の周囲に刻設したＯリング溝１４２ｆとを形成する。
【００２７】
弁体形成部材１４３は、図２０〜２３に示すように、弁座形成部材１４２の円板部１４２ａに当接する面を有する厚肉円板部１４３ａを形成し、その厚肉円板部１４３ａの一面側を弁座形成部材１４２の円板部１４２ａに当接する面とし、他面側には中央部に内筒部となるカートリッジ受け１１６を円板中心に対して同心的に突出し、厚肉円板部１４３ａの周縁部に円筒状の外筒部１４３ｂを同心的に突出して一端側が閉じられた二重円筒形に形成する。
この二重円筒の外筒部１４３ｂの端縁部には筒部１１１に内嵌するために必要な外形寸法を有し外周側に厚みが厚くなるように形成された厚肉部１４３ｃを設け、この厚肉部１４３ｃの外周面にＯリング溝１４３ｄを刻設する。
【００２８】
そして、厚肉円板部１４３ａの中心と周辺との中間位置に同一円周上で中心角で約 90 度離れた位置に各１つの流路となる孔１４３ｅ，１４３ｆを穿設し、弁座形成部材１４２の円板部１４２ａに当接しない面の孔周辺部をカートリッジ受け１１６の厚みと同じ厚みの有底円筒の一部を形成する壁面により、孔１４３ｅの周辺であってカートリッジ受け１１６の外周側の位置を覆い、孔１４３ｆのカートリッジ受け１１６の内周側を同様に覆うことにより、カートリッジ受け１１６の内面側と外面側とのそれぞれに対する孔１４３ｅ，１４３ｆに連通する流路を形成する。
【００２９】
さらに、外筒部１４３ｂの外周側には、厚肉部１４３ｃの厚肉円板部配置側に向いた端面を背にして逆Ｔ字形の溝１４３ｇを形成する互いに突出側を向き合わせた鍵形部材１４３ｈ，１４３ｉを突出して、突出部１４１側の係止部１４１ｃを係合可能かつ弁体形成部材１４３の軸方向に出入自在に形成する。
また、厚肉円板部１４３ａの弁座形成部材当接側の面には外周縁部にＯリング溝の代わりにＯリングを嵌め込むことができるように形成した段差部１４３ｊを設ける。
Ｏリング（図４，５参照）はＮＢＲ（アクリロニトリルブタジエンゴム）等の熱湯から冷水までの範囲で利用できるゴム製のものを使用する。
【００３０】
これにより、弁体形成部材１４３の鍵形部材１４３ｈ，１４３ｉ間に突出部１４１の係止部１４１ｃを係合し、弁座形成部材１４２の水質浄化用カートリッジ収容側の面に弁体形成部材１４３の円板部１４２ａに当接する面を密着して、厚肉円板部１４３ａの中心軸回りに 90 度時計回りまたは反時計回りに回動すると、弁座形成部材１４２に設けられた孔１４２ｅに弁体形成部材１４３の孔１４３ｅまたは孔１４３ｆが同一中心軸上に揃うことにより、それぞれ浄水または原水の流路に対する弁開状態となり、浄水または原水が通過できるようになる。
【００３１】
頭部１２０の内部に組み込まれる仕切部材１２５は、図２４〜２６に示すように、円盤状仕切板１２５ａの各面側の外周縁に短い円筒状の環状部材１２５ｂ，１２５ｃを突設し、円盤状仕切板１２５ａの中央部にシャワー吐出側またはストレート吐出側への入口部へ移行するための集合通過部材１２６（図２８参照）を嵌合する嵌合孔１２５ｄを穿設する。そして、外周縁の下側の環状部材１２５ｃには外周面に条数２の多条雄ねじ１２５ｅを形成してシャワープレート１２１を螺合できるようにし、ねじ形成箇所の上側にはＯリング溝１２５ｆを形成して漏れ止めできるようにする。
嵌合孔１２５ｄは、径が２段に分けられて、上部には円形の軸方向に対して同一径の孔が形成され、下部には軸方向下方に向けて縮径される孔に形成され、それらの中間には段差を設けて上方から集合通過部材１２６を嵌め込めるように形成する。
【００３２】
集合通過部材１２６は、図２７〜２９に示すように、鍔側の端面を浅く削り込んで外縁付き平面形にした有鍔円柱の円柱部１２６ａに、環状の溝１２６ｂを鍔側の浅く削り込んだ端面から軸方向に深くかつ貫通しない程度に刻設し、環状の溝１２６ｂの外周に外側の先端部が鍔部１２６ｄにまで達する多数の光芒１２６ｃを刻設し、この光芒１２６ｃを有する環状の溝１２６ｂを設けた円柱部１２６ａの外径を鍔部１２６ｄの外径よりも小さくして、光芒１２６ｃの外側の下端部が側方に開口した形状に形成する。
この集合通過部材１２６は円柱部１２６ａと鍔部１２６ｄの外形寸法を仕切部材１２５（図２５参照）の嵌合孔１２５ｄに嵌め込むことができる外径にし、円柱部１２６ａの側面に形成された開口が仕切部材１２５の嵌合孔１２５ｄに形成された下方に縮径される孔の位置に達するように軸方向の寸法を調節して、開口から径方向外下方へ流出する原水または浄水を縮径される孔により中心部下方に集中するように流出させる。
【００３３】
仕切部材１２５の下流側に位置する吐出面形成部材としてのシャワープレート１２１は、図３０〜３３に示すように、平板状の円板部１２１ａとその外周縁を立ち上げて形成した張出部１２１ｂとを形成し、円板部１２１ａの中央部にストレート吐出口１２２を穿設し、このストレート吐出口１２２に隣接して吐出切換弁１５０の弁軸１５１ａ（図３７参照）を貫通させて軸支する軸孔１２４を穿設し、ストレート吐出口１２２と軸孔１２４とを除いた面のストレート吐出口１２２の周囲にシャワー吐出口１２３となる小孔を多数個について略均等な間隔で穿設する。
【００３４】
このシャワープレート１２１は、各孔を穿設した円板部１２１ａの張出部形成側を混合水の流入側（上流側）とし、張出部１２１ｂの内周面側には条数が２の多条雌ねじ１２１ｃを形成して、仕切部材１２５に設けた多条雄ねじ１２５ｅに螺合できるようにする。
また、張出部１２１ｂの上端部の内側には拡径した段差部１２１ｄを設けてＯリング溝に対する押圧面を形成し、仕切部材１２５のＯリング溝１２５ｆに取り付けたＯリング（図４参照）を外側から押圧して仕切部材１２５との螺合時に漏止めができるようにする。
【００３５】
さらに、ストレート吐出口１２２の上部には、ストレート吐出用流路形成部材１２７（図３５参照）を嵌合させる凹部１２１ｅを設け、シャワープレート中央部にストレート吐出用流路形成部材１２７を立設して、ストレート吐出側の流路（ストレート吐出流路１２７ｂ）とシャワー吐出側の流路（シャワー吐出面上流側空間１２０ｃ）とを仕切ることができるようにする。
さらにまた、張出部１２１ｂの外周面には、軸孔１２４を設けた位置の外周側に、軸孔穿設位置の外周面を挟むように２つの突出部１２１ｆ，１２１ｆを突設し、吐出切換弁１５０の弁軸１５１ａが軸孔１２４を貫通して軸支されて切換レバー１５１が２つの突出部１２１ｆ，１２１ｆの間に設けられたとき、切換レバー１５１の操作範囲を２つの突出部１２１ｆ，１２１ｆの間隔によって与えられた回動角に規制できるようにする。
【００３６】
シャワープレート中央部に立設するストレート吐出用流路形成部材１２７は、図３４〜３６に示すように、上端縁が内面側に縮径された端部を有する円筒形状に形成され、円筒部の内部がストレート吐出流路１２７ｂとして利用される。
上端に形成された開口１２７ａの開口径が円筒部分の内径よりも小さくなるように形成して、吐出切換弁１５０の弁体１５０ａ（図３８参照）を載置し易くする。また、下端部の外径はシャワープレート１２１の中央部に形成された凹部１２１ｅの内径に嵌合できる大きさを有し、嵌合後にシャワープレート１２１の中央部に立設できるように嵌合状態が緊密になるように形成する。
【００３７】
吐出切換弁１５０は、図４に示すように、シャワープレート１２１の円板部１２１ａを貫通して軸回りに回動自在に支持される弁軸１５１ａを一体に設けた切換レバー１５１と、集合通過部材１２６とストレート吐出用流路形成部材１２７との間に設けられた隙間に配置できるように上面を浅い凹面に形成した薄い皿状に形成した弁体１５０ａとに分割される。
【００３８】
切換レバー１５１は、図３７に示すように、弁軸１５１ａに対して垂直な方向にレバー部１５１ｂを延設し、その操作片であるレバー部１５１ｂの先端にレバー回動方向に対して略垂直な面を形成する指掛け部１５１ｃには両面側にそれぞれ凹部１５１ｄを形成して指の係止を容易にする。弁軸１５１ａの先端には、弁体側に形成された嵌合孔１５０ｄ（図３８参照）に挿入して弁体１５０ａと結合し、結合後の抜けを防止するための拡張側に付勢されている断面が矩形に形成された弾性係止部１５１ｅ，１５１ｅを突出させる。
【００３９】
弁体１５０ａは、図３８，３９に示すように、上面を浅い凹面に形成した薄い皿状に形成し、下面を板厚分長くした曲率半径で湾曲した凸面に形成した皿部１５０ｂと、この皿部１５０ｂから放射方向の一方向へ延設したアーム部１５０ｃと、このアーム部１５０ｃの先端部に弁軸側の弾性係止部１５１ｅ，１５１ｅを挿入して内嵌する矩形断面の嵌合孔１５０ｄを穿設した軸結合部１５０ｅとからなる。
【００４０】
弁軸１５１ａ側の弾性係止部１５１ｅ，１５１ｅを軸結合部１５０ｅの嵌合孔１５０ｄに挿入する際、シャワープレート１２１に形成された軸孔１２４に外方（下流側）から弾性係止部１５１ｅ，１５１ｅを挿入して、軸孔１２４に弁軸１５１ａを嵌合し、その後、弁体１５０ａ側の嵌合孔１５０ｄに弾性係止部１５１ｅ，１５１ｅを抜け防止可能になるまで挿入して、弁体１５０ａと切換レバー１５１とをシャワープレート１２１に組み付けるとともに吐出切換弁１５０の可動部材を一体に結合して形成する。
【００４１】
〔作用効果〕
このように構成した第１実施形態では、流路切換弁１４０の突出部１４１を把持部１１０の外周面に沿って回動することによって浄水と原水とを切り換えることができ、また、浄水と原水との切換えとは独立に、吐出切換弁１５０の切換レバー１５１を操作することによってストレート吐出とシャワー吐出とを切り換えることができるようになる。
【００４２】
いま、流路切換弁１４０の設定位置を図４〜６に示すように外周側流路１３１を閉状態にするとともに中央空間部１３２を頭部１２０の空間１２０ａと連通させた開状態にすると、把持部１１０のホース接続部１１４側から流入した混合水は、水質浄化用カートリッジ１３０の外周側流路１３１から水質浄化材１３３を透過して中央空間部１３２に流出することにより水質を浄化し、さらに浄化された混合水が中央空間部１３２から流路切換弁１４０に設けられたカートリッジ受け１１６の内面側の流路１１６ｂ、弁体側に穿設された孔１４３ｅおよび弁座側に穿設された孔１４２ｅを介して頭部１２０の空間１２０ａに流出し、この空間１２０ａから集合通過部材１２６を介して吐出切換弁１５０の設定に従いストレート吐出流路１２７ｂまたはシャワー吐出面上流側空間１２０ｃに流入して、ストレート吐出またはシャワー吐出する。
【００４３】
次に、この浄水吐出をしている場合に、流路切換弁１４０の突出部１４１を把持部１１０の外周面に沿い所定方向へ必要角度回動して、流路切換弁１４０を図４０〜４２に示すように外周側流路１３１を流路切換弁１４０に設けられたカートリッジ受け１１６の外面側の流路１１６ａ、弁体側に穿設された孔１４３ｆおよび弁座側に穿設された孔１４２ｅを介して頭部１２０の空間１２０ａと連通した開状態にするとともに中央空間部１３２を閉状態にすると、把持部１１０のホース接続部１１４側から流入した混合水が、外周側流路１３１から流路切換弁１４０に設けられたカートリッジ受け１１６の外面側の流路１１６ａ、弁体側に穿設された孔１４３ｆおよび弁座側に穿設された孔１４２ｅを介して頭部１２０の空間１２０ａに流出し、この空間１２０ａから集合通過部材１２６を介して吐出切換弁１５０の設定に従いストレート吐出流路１２７ｂまたはシャワー吐出面上流側空間１２０ｃに流入して、ストレート吐出またはシャワー吐出する。
その後、流路切換弁１４０の突出部１４１を把持部１１０の外周面に沿って、原水吐出の場合と逆方向へ同じ角度回動すると、図４〜６に示すような浄水吐出の場合に戻り、浄水を吐出することができるようになる。
【００４４】
また、吐出切換弁１５０の操作については、流路切換弁１４０の操作とは独立にでき、ストレート吐出とシャワー吐出とを任意に設定することができる。
まず、切換レバー１５１を操作して弁軸１５１ａの軸心を中心にしてストレート吐出側に回動すると、弁体１５０ａがストレート吐出用流路形成部材１２７の開口１２７ａの位置から外れ、集合通過部材１２６から流出する混合水がストレート吐出用流路形成部材１２７の開口１２７ａへ流入し、ストレート吐出流路１２７ｂの内部を通過してストレート吐出口１２２から吐出するようになる。
【００４５】
そして、切換レバー１５１がストレート吐出側に設定されている場合に、切換レバー１５１を反対方向へ操作して、弁軸１５１ａの軸心を中心にしてシャワー吐出側に回動すると、図４または４１に示すように、弁体１５０ａの皿部１５０ｂがストレート吐出用流路形成部材１２７の開口１２７ａの上部に位置して開口１２７ａを塞ぎ、集合通過部材１２６から流出する混合水が弁体１５０ａの皿部１５０ｂに阻まれてストレート吐出用流路形成部材１２７の周囲に流出し、仕切部材１２５とシャワープレート１２１によって形成されたシャワー吐出面上流側空間１２０ｃを介してシャワー吐出口１２３から吐出するようになる。
その後、切換レバー１５１を操作して弁軸１５１ａの軸心を中心にしてストレート吐出側に回動すると、前述のように、ストレート吐出口１２２から吐出するようになる。
【００４６】
これにより、流路切換弁１４０の突出部１４１を把持部１１０の中心軸回りかつ外周面に沿って回動することにより、浄水吐出と原水吐出とを容易に切り換えることができ、浄水吐出時には、混合水が水質浄化用カートリッジ１３０の外周側流路１３１から中央空間部１３２へと、水質浄化材１３３を通過する際に浄化されるようになり、また、原水吐出時には、水質浄化用カートリッジ１３０の水質浄化材１３３よりも上流側の流路が、フィルタ１３４の表面側を通過する混合水によって、浄水吐出時に溜まったフィルタ表面の蓄積物が洗い流され、目詰りを起こりにくくするとともに水質浄化材１３３の劣化を防止するようになり、長期間、水質浄化性能を高レベルに維持できるようになる。
これに加えて、吐出切換弁１５０が流路切換弁１４０と完全に独立しているため、原水と浄水のどちらが吐出される場合であっても、ストレート吐出またはシャワー吐出のいずれかを選択して吐出させることができ、４種類の利用可能な形態が選択できるようになる。
【００４７】
〔第２実施形態〕
前記第１実施形態は水質浄化用カートリッジの外周側を浄化前の上流側流路として形成されているが、この第２実施形態では、水質浄化用カートリッジの中央空間部を浄化前の上流側流路として形成した場合について具体的に説明する。
以下の説明では、各部材の符号は２００番台の番号にして第１実施形態と識別することにし、また、流路切換弁の構成に係る部材以外の部材については、第１実施形態と同じ構成にするとともに符号を２００番台の下２桁の番号を同じにして説明を省略する。
【００４８】
〔構成〕
浄水機能付きシャワーヘッド２００は、図４３〜４５の矢視断面図に示すように、図示しない混合水栓または混合水栓に設けられたホースに取付けできる端部を有する把持部２１０と、この把持部２１０の混合水栓取付側とは反対側の端部でシャワー吐出することができるようにした頭部２２０とを備える。
【００４９】
把持部２１０は、頭部２２０側に直結した筒部２１１と混合水栓取付側の筒部２１２とに分け、これらを着脱自在かつ一体的に組み合わせることができるようにするねじ結合部を形成した中継部２１３により分離結合自在に形成する。
この中継部２１３の螺合を解除して筒部２１１と筒部２１２を分離することにより、把持部２１０の内部に水質浄化用カートリッジ２３０を収容することができるようになる。
また、混合水栓取付側の端部には厚肉円筒状のホース接続部２１４を設け、その先端部にホース取付ねじ２１５を形成して、ホースとの着脱を容易にする。
また、把持部２１０の筒部２１１の上端部には流路切換弁２４０の突出部２４１を突出して、把持部２１０の外部から流路切換弁２４０を操作できるように形成する。
【００５０】
頭部２２０は、把持部２１０から流入した混合水が滞留する空間（空洞）２２０ａを形成するとともに混合水が一様に吐出する吐出面を有するシャワープレート２２１を着脱自在に形成し、そのシャワープレート２２１の中央部にストレート吐出口２２２を設け、その周囲を囲むようにシャワー吐出口２２３を設け、ストレート吐出とシャワー吐出とを切り換える吐出切換弁２５０を内設し、その吐出切換弁２５０の操作部となる切換レバー２５１をシャワープレート２２１の外部に突出配置する。
【００５１】
水質浄化用カートリッジ２３０は、中心軸と同心的に軸方向に長い貫通孔（中央空間部２３２）を設けて筒状に形成した活性炭を主成分とする水質浄化材２３３と、その内周面に不織布、スポンジまたは網等からなるフィルタ２３５を周設したものとする。
水質浄化用カートリッジ２３０を把持部２１０に収容して形成される流路のうち、水質浄化用カートリッジ２３０の外周側流路２３１を浄水流路の一部とし、水質浄化用カートリッジ２３０の中央空間部２３２を原水流路の一部として利用する。
【００５２】
把持部２１０の頭部２２０側に位置する筒部２１１には、内部に水質浄化用カートリッジ２３０の下流側（頭部側）の端部を差し込み固定する円筒状のカートリッジ受け２１６を突設した流路切換弁２４０を内蔵し、カートリッジ受け２１６に水質浄化用カートリッジ２３０に設けられた下流側の端部用キャップ２３０ａの挿入端を差し込むことにより水質浄化用カートリッジ２３０の下流側の端部を芯出しおよび位置固定し、中継部２１３を螺合して筒部２１２を筒部２１１に組付けることにより、水質浄化用カートリッジ２３０の上流側（ホース接続側）の端部が筒部２１２の上流側に位置する端部の内側に設けられた円筒状のカートリッジ受け２１７によって芯出しおよび位置固定されて、把持部２１０の中に水質浄化用カートリッジ２３０を略同軸的に収容する。
【００５３】
カートリッジ受け２１６の外周側の流路２１６ａは水質浄化用カートリッジ２３０の外周側流路２３１と連通して浄水流路の一部となり、さらにカートリッジ受け２１６の内面側の流路２１６ｂは水質浄化用カートリッジ２３０の中央空間部２３２と連通することにより、原水流路の一部として利用される。
また、カートリッジ受け２１７の外周側の流路（空間）２１７ａは水質浄化用カートリッジ２３０の外周側流路２３１の端部となり、カートリッジ受け２１７の内面側の流路２１７ｂは水質浄化用カートリッジ２３０の中央空間部２３２と連通して原水流路の一部として利用される。
【００５４】
これにより、流路切換弁２４０の突出部２４１を浄水吐出位置に合わせた浄水吐出の場合には、流路切換弁２４０のカートリッジ受け２１６の内面側に形成された流路２１６ｂに連通する流路が閉鎖状態となり、把持部２１０内に流入した混合水が、水質浄化用カートリッジ２３０の中央空間部２３２から水質浄化用カートリッジ２３０の水質浄化材２３３を通過して水質を浄化しつつ外周側流路２３１に流出して、カートリッジ受け２１６の外周側の流路２１６ａを介して頭部２２０に形成された空間２２０ａに流出し、吐出切換弁２５０の選択に従って、空間２２０ａからストレート吐出口２２２またはシャワー吐出
口２２３を介してシャワープレート２２１の外部に吐出する。
【００５５】
また、流路切換弁２４０の突出部２４１を原水吐出位置に合わせた原水吐出の場合には、流路切換弁２４０のカートリッジ受け２１６の内面側に形成された流路２１６ｂに連通する流路が開放状態となり、把持部２１０内に流入した混合水が、水質浄化用カートリッジ２３０の中央空間部２３２を通過し、カートリッジ受け２１６の内面側の流路２１６ｂを介して頭部２２０に形成された空間２２０ａに流出し、吐出切換弁２５０の選択に従って、ストレート吐出口２２２またはシャワー吐出口２２３を介してシャワープレート２２１の外部に吐出する。
【００５６】
頭部２２０の内部に形成された空間２２０ａの下流側であって吐出切換弁２５０を収容する部分の上流側には、空間２２０ａとシャワー吐出面上流側空間２２０ｃとの間を仕切る仕切部材２２５を設け、その仕切部材２２５の円盤状仕切板２２５ａの中央部に集合通過部材２２６を設ける。
仕切部材２２５の下流側に設けられる吐出切換弁２５０の弁体２５０ａは、その弁体２５０ａが集合通過部材２２６の直下に位置できるように配置する。
集合通過部材２２６および吐出切換弁２５０の弁体２５０ａが上下に配置された位置の、さらに下流側には、シャワープレート２２１に形成されたストレート吐出口２２２に連通するストレート吐出用流路形成部材２２７を立設する。
【００５７】
吐出切換弁２５０は、弁体２５０ａが仕切部材２２５の下流側で集合通過部材２２６から僅かに隙間をあけた直近の下流に配置され、弁体２５０ａの下面をストレート吐出用流路形成部材２２７の上端に形成された開口２２７ａに接触できる直近の位置に配置して、ストレート吐出用流路形成部材２２７の蓋として上部から覆いかぶさることができるようにし、また、切換レバー２５１の操作によって、弁体２５０ａが開口２２７ａの真上の位置から弁体２５０ａの全体が開口２２７ａの位置から外れるまでの範囲で、弁体２５０ａがストレート吐出用流路形成部材２２７の上端に出入り自在に回動できるように、切換レバー２５１の回動角度を設定する。
【００５８】
頭部２２０は、第１実施態様と同様に、把持部側に筒部２１１を突出し、その突出した筒部２１１の先端部には中継部２１３の雌側を形成して筒部２１２と着脱自在に結合できるようにし、筒部２１１の中継部２１３と空間２２０ａとの中間位置に、流路切換弁２４０の操作端となる突出部２４１を貫通させる周方向に長辺を向けた平面形状が長方形の孔２１１ａを穿設し、この孔２１１ａの長辺の長さは流路切換弁２４０の操作角に従う突出部２４１の最大移動距離に合わせて規定する。
そして、頭部２２０の吐出側には頂部が曲面に形成され主要部が略円筒状に形成されて内部に特別な突出部が設けられていない空洞となっている頭部外皮２２０ｂにより略円筒状に形成し、仕切板や吐出切換弁等を収容することができるようにする。
【００５９】
筒部２１１と分離結合可能に形成されるホース接続側の筒部２１２は、図４６〜４９に示すように、略円筒形状で、ホース接続側の端部に円形の孔を設けた端面２１２ｂを有し、その端面から外方に向けて厚肉円筒状のホース接続部２１４を同軸的に突出し、その先端部外周側にホース取付ねじ２１５を形成し、ホース接続部２１４を設けた端部の反対側に位置する端部には、外面側に雄ねじ２１３ｃと筒部２１１に嵌合するための円筒外面２１３ｅとを形成して中継部２１３の雄側を形成する。
【００６０】
筒部２１２の内面側には、上流側の端部および端面２１２ｂに水質浄化用カートリッジ２３０のホース接続側の端部用キャップ２３０ｂの小径側の端縁部の寸法に合わせて内側の寸法を形成した円筒形状のカートリッジ受け２１７を突出し、水質浄化用カートリッジ２３０の収容時に端部用キャップ２３０ｂの上流側の端縁部を支持して、水質浄化用カートリッジ２３０を同心的に位置固定することができるようにする。
また、ホース接続部２１４の外周側には突起部２１４ａを突出し、水栓本体のホルダ部または吐出口に嵌め込み支持する際の位置決めリブとする。
【００６１】
原水と浄水とを切り換える流路切換弁２４０は、図４３〜４５に示すように、弁開閉動作を行うための操作部材となる突出部２４１と、筒部２１１に固定する弁座形成部材２４２と、突出部２４１により動かされる弁体形成部材２４３とからなる。
突出部２４１は、第１実施形態と同様に、中央部に指掛部２４１ａを放射方向外方に突設し、筒部２１１の外周に沿って湾曲させて、操作時の動作範囲全域について筒部２１１に穿設された長方形の孔２１１ａを覆うことができる湾曲板状に形成された操作部材２４１ｂと、この操作部材２４１ｂの指掛部突設側とは反対側の位置（湾曲面の内側中央部）に突設した弁体形成部材２４３に対する係止部２４１ｃとからなる。
【００６２】
弁座形成部材２４２は、図５０，５１に示すように、筒部２１１の水質浄化用カートリッジ収容部側と頭部２２０の空間形成側との間を仕切る仕切板を形成する円板部２４２ａと、その外周縁の一面側に筒部２１１に内嵌する嵌合用の外形を形成してリング状に突出した周縁突出部２４２ｂと、他面側に弁体形成部材２４３を内嵌する円筒状に形成された弁体嵌合部２４２ｃと、円板部２４２ａの中心と周辺との中間位置に穿設した流路となる孔２４２ｅとを形成する。
【００６３】
弁体形成部材２４３は、図５２〜５５に示すように、弁座形成部材２４２の円板部２４２ａに当接する面を有する厚肉円板部２４３ａを形成し、その厚肉円板部２４３ａの一面側を弁座形成部材２４２の円板部２４２ａに当接する面とし、他面側には中央部に内筒部となるカートリッジ受け２１６を円板中心に対して同心的に突出し、厚肉円板部２４３ａの周縁部に円筒状の外筒部２４３ｂを同心的に突出して一端側が閉じられた二重円筒形に形成する。
この二重円筒の外筒部２４３ｂの端縁部には筒部２１１が内嵌するために必要な外形寸法を有し外周側に厚みが厚くなるように形成された厚肉部２４３ｃを設け、この厚肉部２４３ｃの外周面にＯリング溝２４３ｄを刻設する。
【００６４】
そして、厚肉円板部２４３ａの中心と周辺との中間位置に同一円周上で中心角で約 90 度離れた位置に各１つの流路となる孔２４３ｅ，２４３ｆを穿設し、弁座形成部材２４２の円板部２４２ａに当接しない面の孔周辺部をカートリッジ受け２１６の厚みと同じ厚みの有底円筒の一部を形成する壁面により、孔２４３ｅの周辺であってカートリッジ受け２１６の外周側の位置を覆い、孔２４３ｆのカートリッジ受け２１６の内周側を同様に覆うことにより、カートリッジ受け２１６の内面側と外面側とのそれぞれに対する孔２４３ｅ，２４３ｆに連通する流路を形成する。
【００６５】
さらに、外筒部２４３ｂの外周側には、厚肉部２４３ｃの厚肉円板部配置側に向いた端面を背にして逆Ｔ字形の溝２４３ｇを形成する互いに突出側を向き合わせた鍵形部材２４３ｈ，２４３ｉを突出して、突出部２４１側の係止部２４１ｃを係合可能かつ弁体形成部材２４３の軸方向に出入自在に形成する。
また、厚肉円板部２４３ａの弁座形成部材当接側の面には外周縁部にＯリング溝の代わりにＯリングを嵌め込むことができるように形成した段差部２４３ｊを設ける。
【００６６】
これにより、弁体形成部材２４３の鍵形部材２４３ｈ，２４３ｉ間に突出部２４１の係止部２４１ｃを係合し、弁座形成部材２４２の水質浄化用カートリッジ収容側の面に弁体形成部材２４３の円板部２４２ａに当接する面を密着して、厚肉円板部２４３ａの中心軸回りに 90 度時計回りまたは反時計回りに回動すると、弁座形成部材２４２に設けられた孔２４２ｅに弁体形成部材２４３の孔２４３ｅまたは孔２４３ｆが同一中心軸上に揃うことにより、それぞれ浄水または原水の流路に対する弁開状態となり、浄水または原水が通過できるようになる。
【００６７】
〔作用効果〕
このように構成した第２実施形態では、流路切換弁２４０の突出部２４１を把持部２１０の外周面に沿って回動することによって浄水と原水とを切り換えることができ、また、浄水と原水との切換えとは独立に、吐出切換弁２５０の切換レバー２５１を操作することによってストレート吐出とシャワー吐出とを切り換えることができるようになる。
【００６８】
いま、流路切換弁２４０の設定位置が図４３〜４５に示すように中央空間部２３２を閉状態にするとともに外周側流路２３１を頭部２２０の空間２２０ａと連通させた開状態にすると、把持部２１０のホース接続部２１４側から流入した混合水が、水質浄化用カートリッジ２３０の中央空間部２３２から水質浄化材２３３を透過して外周側流路２３１に流出することにより水質を浄化し、さらに浄化された混合水が外周側流路２３１から流路切換弁２４０に設けられたカートリッジ受け外面側の流路２１６ａ、弁体側に形成された孔２４３ｆおよび弁座側に形成された孔２４２ｅを介して頭部２２０の空間２２０ａに流出
し、この空間２２０ａから集合通過部材２２６を介して吐出切換弁２５０の設定に従いシャワー吐出面上流側空間２２０ｃまたはストレート吐出流路２２７ｂに流入して、浄化された混合水がストレート吐出またはシャワー吐出する。
【００６９】
次に、この浄水吐出をしている場合に、流路切換弁２４０の突出部２４１を把持部２１０の外周面に沿い所定方向へ必要角度回動して、図５６〜５８に示すように、中央空間部２３２、流路切換弁２４０に設けられたカートリッジ受け内面側の流路２１６ｂ、弁体側に形成された孔２４３ｅおよび弁座側に形成された孔２４２ｅを頭部２２０の空間２２０ａと連通させて開状態にするとともに外周側流路２３１を閉状態にすると、把持部２１０のホース接続部２１４側から流入した混合水が、中央空間部２３２から流路切換弁２４０に設けられたカートリッジ受け内面側の流路２１６ｂ、弁体側に形成された孔２４３ｅおよび弁座側に形成された孔２４２ｅを介して頭部２２０の空間２２０ａに流出し、この空間２２０ａから集合通過部材２２６を介して吐出切換弁２５０の設定に従いシャワー吐出面上流側空間２２０ｃまたはストレート吐出流路２２７ｂに流入して、混合水が浄化されずに、原水のままストレート吐出またはシャワー吐出する。
その後、流路切換弁２４０の突出部２４１を把持部２１０の外周面に沿って、原水吐出の場合と逆方向へ同じ角度回動すると、図４３〜４５に示すような浄水吐出の場合に戻り、浄水を吐出することができるようになる。
【００７０】
また、吐出切換弁２５０の操作については、第１実施形態の場合と同様に切換レバー２５１を操作して混合水をストレート吐出またはシャワー吐出させることができる。
まず、切換レバー２５１を操作してストレート吐出側に回動すると、弁体２５０ａがストレート吐出用流路形成部材２２７の開口２２７ａの位置から外れ、集合通過部材２２６から流出する混合水がストレート吐出用流路形成部材２２７の開口２２７ａへ流入し、ストレート吐出流路２２７ｂを通過してストレート吐出口２２２から吐出するようになる。
【００７１】
そして、切換レバー２５１がストレート吐出側に設定されている場合に、切換レバー２５１を反対方向へ操作してシャワー吐出側に回動すると、図４４または５７に示すように、弁体２５０ａの皿部２５０ｂがストレート吐出用流路形成部材２２７の開口２２７ａの上部に位置して開口２２７ａを塞ぎ、集合通過部材２２６から流出する混合水が弁体２５０ａの皿部２５０ｂに阻まれてストレート吐出用流路形成部材２２７の周囲に流出し、仕切部材２２５とシャワープレート２２１によって形成されたシャワー吐出面上流側空間２２０ｃを介してシャワー吐出口２２３から吐出するようになる。
その後、切換レバー２５１を操作してストレート吐出側に回動すると、前述のように、ストレート吐出口２２２からの吐出に変わる。
【００７２】
これにより、流路切換弁２４０の突出部２４１を把持部２１０の中心軸回りかつ外周面に沿って回動することにより、浄水吐出と原水吐出とを容易に切り換えることができ、浄水吐出時には、混合水が水質浄化用カートリッジ２３０の中央空間部２３２から外周側流路２３１へと水質浄化材２３３を通過する際に浄化されるようになり、また、原水吐出時には、水質浄化用カートリッジ２３０の水質浄化材２３３よりも上流側の流路が、フィルタ２３５の表面側を通過する混合水によって、浄水吐出時に溜まったフィルタ表面の蓄積物が洗い流され、目詰りを起こりにくくするとともに水質浄化材２３３の劣化を防止するようになり、長期間、水質浄化性能を高レベルに維持できるようになる。
これに加えて、吐出切換弁２５０が流路切換弁２４０と完全に独立しているため、原水と浄水のどちらが吐出される場合であっても、ストレート吐出またはシャワー吐出のいずれかを選択して吐出させることができ、４種類の利用可能な形態が選択できるようになる。
【００７３】
〔第３実施形態〕
前記の第１実施形態または第２実施形態は水質浄化用カートリッジの下流側に原水と浄水との吐出を選択する流路切換弁を設けているが、この第３実施形態では水質浄化用カートリッジの上流側に流路切換弁を設け、原水を水質浄化用カートリッジの外周側に形成された流路まで導き入れて外周側から中心部の中央空間部まで通過する間に浄化されるようにした場合について具体的に説明する。
以下の説明では、各部材の符号は３００番台の番号にして第１実施形態と識別することにし、また、流路切換弁の構成に係る部材以外の部材については、第１実施形態と同じ構成にするとともに符号を３００番台の下２桁の番号を同じにして説明を省略する。
【００７４】
〔構成〕
浄水機能付きシャワーヘッド３００は、図５９〜６１の外観図に示すように、図示しない混合水栓または混合水栓に設けられたホースに取付けできる端部を有する把持部３１０と、この把持部３１０の混合水栓取付側とは反対側の端部に一体的に形成されてシャワー吐出することができるようにした頭部３２０とを備える。
【００７５】
把持部３１０は、頭部３２０側に直結した筒部３１１と混合水栓取付側の筒部３１２とに分け、この両筒部３１１，３１２の結合部分には着脱自在かつ一体的に組み合わせることができるようにするねじ結合部を形成した中継部３１３を形成し、この中継部３１３の螺合を解除して筒部３１１と筒部３１２を分離することにより、把持部３１０の内部に水質浄化用カートリッジ３３０（図６２，６３参照）を収容することができるようになる。
また、混合水栓取付側の端部には円筒状のホース接続部３１４を設け、その先端部にホース取付ねじ３１５を形成して、ホースとの着脱を容易にする。
また、把持部３１０の水質浄化用カートリッジ３３０の上流側となるホース取付側の端部には、流路切換弁３４０の操作端である突出部３４１を突き出して、把持部３１０の外部から流路切換弁３４０を操作できるように形成する。
【００７６】
頭部３２０は、内部に把持部３１０から流入した混合水が滞留する空間（空洞）３２０ａ（図６３参照）を形成し、吐出端に混合水が一様に吐出する吐出面を有して着脱自在なシャワープレート３２１を形成し、そのシャワープレート３２１の中央部にストレート吐出口３２２を設け、その周囲を囲むようにシャワー吐出口３２３を設け、ストレート吐出とシャワー吐出とを切り換える吐出切換弁３５０を内設し、その吐出切換弁３５０の操作部となる切換レバー３５１をシャワープレート３２１の外部に突出配置する。
【００７７】
この浄水機能付きシャワーヘッド３００では、図６２〜６４に示すように、把持部３１０に内蔵した水質浄化用カートリッジ３３０の外周側流路３３１を原水流路の一部とし、水質浄化用カートリッジ３３０の中央空間部３３２を浄水流路または原水流路の一部として利用する。
この場合の水質浄化用カートリッジ３３０は、中心軸と同心的に軸方向に長い貫通孔（中央空間部３３２）を設けて筒状に形成した活性炭を主成分とする水質浄化材３３３と、その外周面に不織布、スポンジまたは網等からなるフィルタ３３４を周設したものに、把持部内で同心的に嵌め合い位置固定するための端部用キャップ３３０ａ，３３０ｂを各端部に取り付けたものである。
【００７８】
把持部３１０の頭部３２０側に位置する筒部３１１には、筒部３１１の内部の頭部側端面に水質浄化用カートリッジ３３０の下流側（頭部側）の端部を差し込み固定する円筒状のカートリッジ受け３１６を突設し、このカートリッジ受け３１６に水質浄化用カートリッジ３３０に設けられた下流側の端部用キャップ３３０ａの挿入端を差し込むことによって、水質浄化用カートリッジ３３０の下流側端部を芯出しおよび位置固定できるようにする。
【００７９】
筒部３１１と筒部３１２との中継部３１３を螺合して、筒部３１２を筒部３１１に組付けることによって、水質浄化用カートリッジ３３０の上流側（ホース接続側）の端部を、筒部３１２の上流側に位置する端部の内側に配設された流路切換弁３４０に設けられた円筒状のカートリッジ受け３１７に嵌合し、芯出しおよび位置固定して、把持部３１０の中に水質浄化用カートリッジ３３０を略同軸的に収容する。
【００８０】
これにより、カートリッジ受け３１６の外周側の流路３１６ａは、水質浄化用カートリッジ３３０の外周側流路３３１と連通して原水流路の閉鎖端部となり、さらにカートリッジ受け３１６の内面側の流路３１６ｂは、水質浄化用カートリッジ３３０の中央空間部３３２と連通して浄水流路の一部を形成するとともに原水流路の一部を形成する。
また、流路切換弁３４０に設けられた円筒状のカートリッジ受け３１７の内面側の流路３１７ｂは、水質浄化用カートリッジ３３０の中央空間部３３２と連通して浄水流路の端部を形成するとともに原水流路の入口部を形成し、カートリッジ受け３１７の外周側の流路３１７ａは、水質浄化用カートリッジ３３０の外周側流路３３１と連通して原水流路の入口部を形成する。
【００８１】
頭部３２０の内部に形成された空間３２０ａの下流側であって吐出切換弁３５０を収容する部分の上流側には、空間３２０ａとシャワー吐出面上流側空間３２０ｃとの間を仕切る仕切部材３２５を設け、その仕切部材３２５の円盤状仕切板３２５ａの中央部に集合通過部材３２６を設ける。
仕切部材３２５の下流側に設けられる吐出切換弁３５０は、その弁体３５０ａが集合通過部材３２６の直下に位置できるように配置する。
そして、集合通過部材３２６および吐出切換弁３５０の弁体３５０ａが上下に配置された位置の、さらに下流側には、シャワープレート３２１に形成されたストレート吐出口３２２に連通するストレート吐出用流路形成部材３２７を立設する。
【００８２】
頭部３２０は、図６５，６６に示すように、把持部側に筒部３１１を突出し、その突出した筒部３１１の先端部には筒部３１２とねじ結合するための雄ねじ３１３ｃと、結合時の芯出し用の円筒外面３１３ｅとを外面側に形成して中継部３１３の雄側を形成し、円筒外面３１３ｅの軸方向の中央部には、この中継部３１３の漏止めに必要なＯリング（図６２，６３参照）を嵌め込むＯリング溝３１３ｆを刻設する。
そして、頭部３２０の吐出側には頂部が曲面に形成され主要部が略円筒状に形成されて内部に特別な突出部が設けられていない空洞となっている頭部外皮３２０ｂを形成し、仕切板や吐出切換弁等を収容することができるようにする。
【００８３】
筒部３１１と分離結合可能に形成される筒部３１２は、図６７〜７０に示すように、略円筒形状で、ホース接続側の端部に円形の孔を設けた端面３１２ｂを有し、その端面から円筒状のホース接続部３１４を突出し、その先端部にホース取付ねじ３１５を形成する。
筒部３１２の最下流側の端部には、内面側に雌ねじ３１３ｂと、嵌合用の円筒内面３１３ａ，３１３ｄとを雌ねじ形成箇所の軸方向の前後位置にそれぞれ形成して、中継部３１３の雌側を形成し、筒部３１１側の雄側の中継部３１３に螺着して結合することができるようにする。
これに対して、筒部３１２の上流側の端部には、端面３１２ｂから所定距離離れた箇所に、流路切換弁３４０の操作端となる突出部３４１を貫通させる周方向に長辺を向けた平面形状が長方形の孔３１２ｃを穿設する。この長方形の孔３１２ｃの長辺の長さは流路切換弁３４０の操作角に従う突出部３４１の最大移動距離に合わせて規定する。
【００８４】
この筒部３１２の上流側の端部には、水質浄化用カートリッジ３３０のホース接続側の端部用キャップ３３０ｂの端縁部（挿入端部）の寸法に合わせて内径側の寸法を形成したカートリッジ受け３１７を形成した流路切換弁３４０を内蔵し、筒部３１２に設けられた長方形の孔３１２ｃを介して流路切換弁３４０の突出部３４１を筒部３１２の外部に突出させる。
また、ホース接続部３１４の外周側には突起部３１４ａを突出し、水栓本体のホルダ部に嵌め込み支持する際の位置決めリブとする。
【００８５】
原水と浄水とを切り換える流路切換弁３４０は、図６２〜６４に示すように、弁開閉動作を行うための操作部材となる突出部３４１と、筒部３１２に固定する弁座形成部材３４２と、突出部３４１により動かされる弁体形成部材３４３とからなる。
突出部３４１は、図７１〜７３に示すように、中央部に指掛部３４１ａを放射方向外方に突設し、筒部３１２の長方形の孔３１２ｃを穿設した位置の外周に沿って湾曲させて、操作時の動作範囲全域について筒部３１２に穿設された長方形の孔３１２ｃを覆うことができる湾曲板状に形成された操作部材３４１ｂと、この操作部材３４１ｂの指掛部突設側とは反対側の位置（湾曲面の内側中央部）に突設した弁体形成部材３４３に対する係止部３４１ｃとからなる。
【００８６】
弁座形成部材３４２は、図７４〜７６に示すように、筒部３１２の水質浄化用カートリッジ収容部側と流入側の端部との間を仕切る仕切板を形成する円板部３４２ａと、その外周縁に筒部３１２に内嵌する嵌合用の外形を形成してリング状に突出した周縁突出部３４２ｂと、一面側に弁体形成部材３４３を内嵌する円筒内面を形成した弁体嵌合部３４２ｃと、円板部３４２ａの中心と周辺との中間位置に厚肉部３４２ｄを形成してその中心位置に穿設した流路となる孔３４２ｅと、弁体内嵌側の面における孔３４２ｅを穿設した位置の周囲に刻設したＯリング溝３４２ｆとを形成する。
【００８７】
弁体形成部材３４３は、図７７〜８０に示すように、弁座形成部材３４２の円板部３４２ａに当接する面を有する厚肉円板部３４３ａを形成し、その厚肉円板部３４３ａの一面側を弁座形成部材３４２の円板部３４２ａに当接する面とし、他面側には中央部に内筒部となるカートリッジ受け３１７を円板中心に対して同心的に突出し、厚肉円板部３４３ａの周縁部に円筒状の外筒部３４３ｂを同心的に突出して一端側が閉じられた二重円筒形に形成する。
この二重円筒の外筒部３４３ｂの端縁部には筒部３１２に内嵌するために必要な外形寸法を有し外周側に厚みが厚くなるように形成された厚肉部３４３ｃを設け、この厚肉部３４３ｃの外周面にＯリング溝３４３ｄを刻設する。
【００８８】
そして、厚肉円板部３４３ａの中心と周辺との中間位置に同一円周上で中心角で約 90 度離れた位置に各１つの流路となる孔３４３ｅ，３４３ｆを穿設し、弁座形成部材３４２の円板部３４２ａに当接しない面の孔周辺部をカートリッジ受け３１７の厚みと同じ厚みの有底円筒の一部を形成する壁面により、孔３４３ｅの周辺であってカートリッジ受け３１７の外周側の位置を覆い、孔３４３ｆのカートリッジ受け３１７の内周側を同様に覆うことにより、カートリッジ受け３１７の内面側と外面側とのそれぞれに対する孔３４３ｅ，３４３ｆに連通する流路を形成する。
【００８９】
さらに、外筒部３４３ｂの外周側には、厚肉部３４３ｃの厚肉円板部３４３ａの配置側に向いた端面を背にして逆Ｔ字形の溝３４３ｇを形成する互いに突出側を向き合わせた鍵形部材３４３ｈ，３４３ｉを突出して、突出部３４１側の係止部３４１ｃを係合可能かつ弁体形成部材３４３の軸方向に出入自在に形成する。
また、厚肉円板部３４３ａの弁座形成部材当接側の面には外周縁部にＯリング溝の代わりにＯリングを嵌め込むことができるように形成した段差部３４３ｊを設ける。
【００９０】
これにより、弁体形成部材３４３の鍵形部材３４３ｈ，３４３ｉ間に突出部３４１の係止部３４１ｃを係合し、弁座形成部材３４２の水質浄化用カートリッジ収容側の面に弁体形成部材３４３の円板部３４２ａの当接面を密着して、厚肉円板部３４３ａの中心軸回りに 90 度時計回りまたは反時計回りに回動すると、弁座形成部材３４２に穿設された孔３４２ｅに弁体形成部材３４３の孔３４３ｅまたは孔３４３ｆが同軸上に揃うことにより、それぞれ浄水側流路または原水側流路に対する弁開状態となり、開弁側の流路を混合水が通過するようになる。
【００９１】
頭部３２０の内部に組み込まれる仕切部材３２５は、円盤状仕切板３２５ａの中央部にシャワー吐出側またはストレート吐出側への入口部へ移行するための集合通過部材３２６を嵌合する。そして、外周縁の下側にシャワープレート３２１を螺合できるようにするとともに、ねじ形成箇所の上側にはＯリングにより漏止めができるようにする。
仕切部材３２５の中央部に設けられる集合通過部材３２６の嵌合孔は、径が２段に分けられて、上部には円形の軸方向に対して同一径の孔が形成され、下部には軸方向下方に向けて縮径される孔に形成され、それらの中間には段差を設けて上方から集合通過部材３２６を嵌め込めるように形成する。
【００９２】
集合通過部材３２６は、鍔側の端面を浅く削り込んで外縁付き平面形にした有鍔円柱に、環状の溝と、この環状の溝の外周に多数の光芒を刻設し、この光芒を有する環状の溝を設けた円柱部の外径を鍔部の外径よりも小さくして、光芒の外側の下端部が側方に開口した形状に形成する。
この集合通過部材３２６が仕切部材３２５の嵌合孔に形成された下方に縮径される孔の位置に達するように軸方向の寸法を調節して、開口から径方向外側の下方へ流出する原水または浄水を、縮径される孔により中心部下方に集中するように流出させる。
【００９３】
仕切部材３２５の下流側に位置する吐出面形成部材としてのシャワープレート３２１は、平板状の円板部から外周縁を立ち上げた形状に形成し、円板部の中央部にストレート吐出口３２２を穿設し、このストレート吐出口３２２に隣接して吐出切換弁３５０の軸を貫通させて軸支し、ストレート吐出口３２２と軸支箇所とを除いた面のストレート吐出口３２２の周囲にシャワー吐出口３２３となる小孔を多数個略均等な間隔で穿設する。
【００９４】
このシャワープレート３２１は、各孔を穿設した円板部外周の張出部形成側を混合水の流入側（上流側）とし、張出部形成側の内周面側には雌ねじにより、仕切部材３２５に設けた雄ねじに螺合できるようにする。
また、張出部の上端部内側にはＯリングに対する押圧面を形成し、仕切部材３２５に取り付けたＯリング（図６３参照）を外側から押圧して仕切部材３２５との螺合時に漏止めができるようにする。
【００９５】
さらに、ストレート吐出口３２２の上部には、ストレート吐出用流路形成部材３２７を設け、シャワープレート中央部にストレート吐出用流路形成部材３２７を立設して、ストレート吐出側の流路（ストレート吐出流路３２７ｂ）とシャワー吐出側の流路（シャワー吐出面上流側空間３２０ｃ）とを仕切ることができるようにする。
さらにまた、シャワープレート３２１の張出部外周面には、切換レバー３５１を設けた位置の近傍に、切換レバー３５１の外周面を挟むように２つの突出部を突設して、吐出切換弁３５０の切換レバー３５１が２つの突出部の間に設けられたとき、切換レバー３５１の操作範囲を２つの突出部の間隔によって与えられた回動角に規制できるようにする。
【００９６】
シャワープレート中央部に立設するストレート吐出用流路形成部材３２７は、上端縁が内面側に縮径された端部を有する円筒形状に形成され、円筒部の内部がストレート吐出流路３２７ｂとして利用される。
上端に形成された開口３２７ａの開口径が円筒部分の内径よりも小さくなるように形成して、吐出切換弁３５０の弁体３５０ａを載置し易くする。また、下端部の外径はシャワープレート３２１の中央部に嵌合できる大きさを有し、嵌合後にシャワープレート３２１の中央部に立設できるように嵌合状態が緊密になるように形成する。
【００９７】
吐出切換弁３５０は、シャワープレート３２１を貫通して軸回りに回動自在に支持される弁軸を一体に設けた切換レバー３５１と、集合通過部材３２６とストレート吐出用流路形成部材３２７との間に設けられた隙間に配置できるように上面を浅い凹面に形成した薄い皿状に形成した弁体３５０ａとに分割される。
切換レバー３５１は、弁体側に形成された嵌合孔に挿入して弁体３５０ａと結合し、結合後の抜けを防止するための拡張側に付勢されている断面が矩形に形成された弾性係止部により結合される。
【００９８】
弁体３５０ａは、上面を浅い凹面に形成し、下面を板厚分長くした曲率半径で湾曲した凸面にした皿部３５０ｂを形成し、この皿部３５０ｂから一方向へアーム部を延設し、このアーム部の先端部に弁軸側の弾性係止部を挿入して内嵌する矩形断面の嵌合孔を穿設する。
切換レバー３５１の弾性係止部を弁体３５０ａ側の嵌合孔に抜け防止可能になるまで挿入して、切換レバー３５１と弁体３５０ａとを一体化して、弁体３５０ａと切換レバー３５１とをシャワープレート３２１に組み付けるとともに吐出切換弁３５０の可動部材を一体に結合する。
【００９９】
この吐出切換弁３５０は、弁体３５０ａを集合通過部材３２６から僅かに隙間をあけた直近の下流に配置し、弁体３５０ａの下面をストレート吐出用流路形成部材３２７の上端に形成された開口３２７ａに接触できる直近の位置に配置して、ストレート吐出用流路形成部材３２７の蓋として上部から覆い被さることができるようにし、また、切換レバー３５１の操作によって、弁体３５０ａが開口３２７ａの真上の位置から弁体３５０ａの全体が開口３２７ａの位置から外れるまでの範囲で、弁体３５０ａがストレート吐出用流路形成部材３２７の上端に出入り自在に回動できるように、切換レバー３５１の回動角度を設定する。
【０１００】
〔作用効果〕
このように構成した第３実施形態では、把持部３１０のホース接続側の端部に設けられた流路切換弁３４０の突出部３４１を把持部３１０の外周面に沿って回動することによって浄水と原水とを切り換えることができ、また、浄水と原水との切換えとは独立に、吐出切換弁３５０の切換レバー３５１を操作することによってストレート吐出とシャワー吐出とを切り換えることができるようになる。
【０１０１】
いま、流路切換弁３４０の設定位置を図６２〜６４に示すように流路切換弁３４０の突出部３４１を浄水吐出位置に合わせた場合、流路切換弁３４０の弁座側に穿設された孔３４２ｅに弁体側に穿設された孔３４３ｅの位置が同軸的に一致して、水質浄化用カートリッジ３３０の外周側流路３３１を流路切換弁３４０の入口側と連通した開状態にする。このとき、混合水が把持部３１０のホース接続部３１４側から把持部３１０内に流入し、流入した混合水が流路切換弁３４０の弁座側に穿設された孔３４２ｅ、弁体側に穿設された孔３４３ｅおよびカートリッジ受け３１７の外面側の流路３１７ａを介して水質浄化用カートリッジ３３０の外周側流路３３１からフィルタ３３４および水質浄化材３３３を透過して中央空間部３３２に流出し、水質を浄化し、中央空間部３３２が頭部３２０の空間３２０ａと連通しているから、浄化された混合水が中央空間部３３２からカートリッジ受け３１６の内面側の流路３１６ｂを介して頭部３２０の空間３２０ａに流出する。そして、この空間３２０ａから集合通過部材３２６を介して吐出切換弁３５０の設定に従い、ストレート吐出流路３２７ｂまたはシャワー吐出面上流側空間３２０ｃに流入して、ストレート吐出またはシャワー吐出する。
【０１０２】
次に、この浄水吐出をしている場合に、流路切換弁３４０の突出部３４１を把持部３１０の外周面に沿い所定方向へ必要角度回動して、図８１〜８３に示すように流路切換弁３４０を原水吐出位置に合わせた場合、流路切換弁３４０の弁座側に穿設された孔３４２ｅに弁体側に穿設された孔３４３ｆの位置が同軸的に一致して、水質浄化用カートリッジ３３０の外周側流路３３１を流路切換弁３４０の入口側と遮断した閉状態にし、水質浄化用カートリッジ３３０の中央空間部３３２を流路切換弁３４０の入口側と連通した開状態にする。
【０１０３】
このとき、把持部３１０のホース接続部３１４側から混合水が流入してくると、流路切換弁３４０の弁座側に穿設された孔３４２ｅ、弁体側に穿設された孔３４３ｆ、およびカートリッジ受け３１７の内面側の流路３１７ｂを介して中央空間部３３２に流入し、中央空間部３３２が頭部３２０の空間３２０ａと連通しているから、混合水が浄化されずに、そのままカートリッジ受け３１６の内面側の流路３１６ｂを介して頭部３２０の空間３２０ａに流出する。
【０１０４】
そして、この空間３２０ａから集合通過部材３２６を介して吐出切換弁３５０の設定に従いストレート吐出流路３２７ｂまたはシャワー吐出面上流側空間３２０ｃに流入して、ストレート吐出またはシャワー吐出する。
その後、流路切換弁３４０の突出部３４１を把持部３１０の外周面に沿って、原水吐出の場合と逆方向へ同じ角度回動すると、図６２〜６３に示すような浄水吐出の場合に戻り、浄水を吐出することができるようになる。
【０１０５】
また、吐出切換弁３５０の操作については、流路切換弁３４０の操作とは独立にでき、ストレート吐出とシャワー吐出とを任意に設定することができる。
まず、切換レバー３５１を操作して弁軸の軸心を中心にしてストレート吐出側に回動すると、弁体３５０ａがストレート吐出用流路形成部材３２７の開口３２７ａの位置から外れ、集合通過部材３２６から流出する混合水がストレート吐出用流路形成部材３２７の開口３２７ａへ流入し、ストレート吐出流路３２７ｂの内部を通過してストレート吐出口３２２から吐出するようになる。
【０１０６】
そして、切換レバー３５１がストレート吐出側に設定されている場合に、切換レバー３５１を反対方向へ操作して、弁軸の軸心を中心にしてシャワー吐出側に回動すると、図６３または８２に示すように、弁体３５０ａの皿部３５０ｂがストレート吐出用流路形成部材３２７の開口３２７ａの上部に位置して開口３２７ａを塞ぎ、集合通過部材３２６から流出する混合水が弁体３５０ａの皿部３５０ｂに阻まれてストレート吐出用流路形成部材３２７の周囲に流出し、仕切部材３２５とシャワープレート３２１によって形成されたシャワー吐出面上流側空間３２０ｃを介してシャワー吐出口３２３から吐出するようになる。
その後、切換レバー３５１を操作して弁軸の軸心を中心にしてストレート吐出側に回動すると、前述のように、ストレート吐出口３２２から吐出するようになる。
【０１０７】
これにより、流路切換弁３４０の突出部３４１を把持部３１０の中心軸回りかつ外周面に沿って回動することにより、浄水吐出と原水吐出とを容易に切り換えることができ、浄水吐出時には、混合水が水質浄化用カートリッジ３３０の外周側流路３３１から中央空間部３３２へと、水質浄化材３３３を通過する際に浄化されるようになる。
これに加えて、吐出切換弁３５０が流路切換弁３４０と完全に独立しているため、原水と浄水のどちらが吐出される場合であっても、ストレート吐出またはシャワー吐出のいずれかを選択して吐出させることができ、４種類の利用可能な形態が選択できるようになる。
【０１０８】
〔第４実施形態〕
前記第３実施形態は水質浄化用カートリッジの外周側を浄化前の上流側流路として形成されているが、この第４実施形態では、水質浄化用カートリッジの上流側に流路切換弁を設けるとともに水質浄化用カートリッジの中央空間部を浄化前の上流側流路として形成した場合について具体的に説明する。
以下の説明では、各部材の符号は４００番台の番号にして第３実施形態と識別することにし、また、流路切換弁の構成に係る部材以外の部材については、第３実施形態と同じ構成にするとともに符号を４００番台の下２桁の番号を同じにして説明を省略する。
【０１０９】
〔構成〕
浄水機能付きシャワーヘッド４００は、図８４〜８６の矢視断面図に示すように、図示しない混合水栓または混合水栓に設けられたホースに取付けできる端部を有する把持部４１０と、この把持部４１０の混合水栓取付側とは反対側の端部でシャワー吐出することができるようにした頭部４２０とを備える。
【０１１０】
把持部４１０は、頭部４２０側に直結した筒部４１１と混合水栓取付側の筒部４１２とに分け、この両筒部４１１，４１２の結合部分には着脱自在かつ一体的に組み合わせることができるようにするねじ結合部を形成した中継部４１３を形成し、この中継部４１３の螺合を解除して筒部４１１と筒部４１２を分離することにより、把持部４１０の内部に水質浄化用カートリッジ４３０を収容することができるようになる。また、混合水栓取付側の端部には円筒状のホース接続部４１４を設け、その先端部にホース取付ねじ４１５を形成して、ホースとの着脱を容易にする。
また、把持部４１０の水質浄化用カートリッジ４３０の上流側となるホース取付側の端部には、流路切換弁４４０の操作端である突出部４４１を突き出して、把持部４１０の外部から流路切換弁４４０を操作できるように形成する。
【０１１１】
頭部４２０は、内部に把持部４１０から流入した混合水が滞留する空間（空洞）４２０ａを形成するとともに吐出端に混合水が一様に吐出する吐出面を有するシャワープレート４２１を着脱自在に形成し、そのシャワープレート４２１の中央部にストレート吐出口４２２を設け、その周囲を囲むようにシャワー吐出口４２３を設け、ストレート吐出とシャワー吐出とを切り換える吐出切換弁４５０を内設し、その吐出切換弁４５０の操作部となる切換レバー４５１をシャワープレート４２１の外部に突出配置する。
【０１１２】
水質浄化用カートリッジ４３０は、中心軸と同心的に軸方向に長い貫通孔（中央空間部４３２）を設けて筒状に形成した活性炭を主成分とする水質浄化材４３３と、その内周面に不織布、スポンジまたは網等からなるフィルタ４３５を周設したものとする。
水質浄化用カートリッジ４３０を把持部４１０に収容して形成される流路のうち、水質浄化用カートリッジ４３０の外周側流路４３１を浄水流路の一部とし、水質浄化用カートリッジ４３０の中央空間部４３２を原水流路の一部として利用する。
【０１１３】
把持部４１０の頭部４２０側に位置する筒部４１１には、内部に水質浄化用カートリッジ４３０の下流側（頭部側）の端部を固定するカートリッジ受けとしての複数のリブ４１１ｂを把持部４１０の軸方向に平行な平板状に形成されて突設し、このリブ４１１ｂの上流側の端面に水質浄化用カートリッジ４３０に設けられた下流側の端部用キャップ４３０ａを当接することによって、水質浄化用カートリッジ４３０の下流側の端部を芯出しおよび位置固定し、筒部４１１と筒部４１２との中継部４１３を螺合して、筒部４１２を筒部４１１に組付けることによって、水質浄化用カートリッジ４３０の上流側（ホース接続側）の端部を、筒部４１２の上流側に位置する端部の内側に配設された流路切換弁４４０に設けられた円筒状のカートリッジ受け４１７に嵌合し、芯出しおよび位置固定して、把持部４１０の中に水質浄化用カートリッジ４３０を略同軸的に収容する。
【０１１４】
これにより、水質浄化用カートリッジ４３０の下流側ではリブ４１１ｂによって支持されるため流路を遮るものがなく、水質浄化用カートリッジ４３０の外周側流路４３１と頭部４２０の空間４２０ａとが連通して浄水流路の一部または原水流路の一部となり、さらに水質浄化用カートリッジ４３０の中央空間部４３２が下流側で端部用キャップ４３０ａにより閉鎖されて通過不能に形成されているため、原水流路の一部としてのみ利用される。
また、カートリッジ受け４１７の外周側の流路（空間）４１７ａは水質浄化用カートリッジ４３０の外周側流路４３１と連通して浄水流路の端部または原水流路の一部となり、カートリッジ受け４１７の内面側の流路４１７ｂは水質浄化用カートリッジ４３０の中央空間部４３２と連通して原水流路の一部として利用される。
【０１１５】
頭部４２０の内部に形成された空間４２０ａの下流側であって吐出切換弁４５０を収容する部分の上流側には、空間４２０ａとシャワー吐出面上流側空間４２０ｃとの間を仕切る仕切部材４２５を設け、その仕切部材４２５の円盤状仕切板４２５ａの中央部に集合通過部材４２６を設ける。
仕切部材４２５の下流側に設けられる吐出切換弁４５０の弁体４５０ａは、その弁体４５０ａが集合通過部材４２６の直下に位置できるように配置する。
集合通過部材４２６および吐出切換弁４５０の弁体４５０ａが上下に配置された位置の、さらに下流側には、シャワープレート４２１に形成されたストレート吐出口４２２に連通するストレート吐出用流路形成部材４２７を立設する。
【０１１６】
頭部４２０は、図８７〜８９に示すように、把持部側に筒部４１１を突出し、その突出した筒部４１１の先端部には筒部４１２とねじ結合するための雄ねじ４１３ｃと、結合時の芯出し用の円筒外面４１３ｅとを外面側に形成して中継部４１３の雄側を形成し、円筒外面４１３ｅの軸方向の中央部には、この中継部４１３の漏止めに必要なＯリング（図８４，８５参照）を嵌め込むＯリング溝４１３ｆを刻設する。
筒部４１１の頭部側の端部には、軸方向に平行な板状に形成されたリブ４１１ｂを、周上等ピッチに３個、内壁に垂直に立設する。このリブ４１１ｂの中継部４１３側に面した端面は、壁面から水質浄化用カートリッジ４３０の下流側の端部用キャップ４３０ａの外端縁の径が嵌め込まれて止まるために必要な高さの位置になるまで緩い斜面により立ち上がり、水質浄化用カートリッジ４３０の下流側の端部用キャップ４３０ａが嵌め込まれて止まるために必要なる壁面からの高さに達してからは壁面に対して垂直な面に形成される。
そして、頭部４２０の吐出側には頂部が曲面に形成され主要部が略円筒状に形成されて内部に特別な突出部が設けられていない空洞となっている頭部外皮４２０ｂを形成し、仕切板や吐出切換弁等を収容することができるようにする。
【０１１７】
筒部４１１と分離結合可能に形成されるホース接続側の筒部４１２は、第３実施例と同様に、最下流側の端部には、内面側に雌ねじと、嵌合用の円筒内面とを雌ねじ形成箇所の軸方向の前後位置にそれぞれ形成して、中継部４１３の雌側を形成し、筒部４１１側の雄側の中継部４１３に螺着して結合することができるようにする。
筒部４１２の上流側の端部には、端面から所定距離離れた箇所に、流路切換弁４４０の操作端となる突出部４４１を貫通させる周方向に長辺を向けた平面形状が長方形の孔４１２ｃを穿設する。この孔４１２ｃの長辺の長さは流路切換弁４４０の操作角に従う突出部４４１の最大移動距離に合わせて規定する。
この筒部４１２の上流側の端部には、水質浄化用カートリッジ４３０のホース接続側の端部用キャップ４３０ｂの端縁部（挿入端部）の寸法に合わせて内径側の寸法を形成したカートリッジ受け４１７を形成した流路切換弁４４０を内蔵し、筒部４１２に設けられた長方形の孔４１２ｃを介して流路切換弁４４０の突出部４４１を筒部４１２の外部に突出させる。
【０１１８】
原水と浄水とを切り換える流路切換弁４４０は、第３実施形態と同様に、弁開閉動作を行うための操作部材となる突出部４４１と、筒部４１２に固定する弁座形成部材４４２と、突出部４４１により動かされる弁体形成部材４４３とからなる。
突出部４４１は、中央部に指掛部を放射方向外方に突設し、操作時の動作範囲全域について筒部４１２に穿設された長方形の孔４１２ｃを覆うことができる湾曲板状に形成された操作部材と、この操作部材の指掛部突設側とは反対側の位置（湾曲面の内側中央部）に突設した弁体形成部材４４３に対する係止部とからなる。
【０１１９】
弁座形成部材４４２は、筒部４１２の水質浄化用カートリッジ収容部側と流入側の端部との間を仕切る仕切板を形成する円板部と、その外周縁に筒部４１２に内嵌する嵌合用の外形を形成してリング状に突出した周縁突出部と、一面側に弁体形成部材４４３を内嵌する円筒内面を形成した弁体嵌合部と、円板部の中心と周辺との中間位置に厚肉部を形成してその中心位置に穿設した流路となる孔４４２ｅと、弁体内嵌側の面における孔４４２ｅを穿設した位置の周囲に刻設したＯリング溝とを形成する。
弁体形成部材４４３は、弁座形成部材４４２の円板部に当接する面を有する厚肉円板部を形成し、その厚肉円板部の一面側を弁座形成部材４４２の円板部に当接する面とし、他面側には中央部に内筒部となるカートリッジ受け４１７を円板中心に対して同心的に突出し、厚肉円板部の周縁部に円筒状の外筒部を同心的に突出して一端側が閉じられた二重円筒形に形成する。この二重円筒の外筒部の端縁部には筒部４１２に内嵌するために必要な外形寸法を有し外周側に厚みが厚くなるように形成された厚肉部を設け、この厚肉部の外周面にＯリング溝を刻設する。
【０１２０】
そして、厚肉円板部の中心と周辺との中間位置に同一円周上で中心角で約 90 度離れた位置に各１つの流路となる孔４４３ｅ，４４３ｆを穿設し、弁座形成部材４４２の円板部に当接しない面の孔周辺部をカートリッジ受け４１７の厚みと同じ厚みの有底円筒の一部を形成する壁面により、孔４４３ｅの周辺であってカートリッジ受け４１７の外周側の位置を覆い、孔４４３ｆのカートリッジ受け４１７の内周側を同様に覆うことにより、カートリッジ受け４１７の内面側と外面側とのそれぞれに対する孔４４３ｅ，４４３ｆに連通する流路を形成する。
さらに、外筒部の外周側には、厚肉部の厚肉円板部配置側に向いた端面を背にして逆Ｔ字形の溝を形成する互いに突出側を向き合わせた鍵形部材を突出して、突出部４４１側の係止部を係合可能かつ弁体形成部材４４３の軸方向に出入自在に形成する。
また、厚肉円板部の弁座形成部材当接側の面には外周縁部にＯリング溝の代わりにＯリングを嵌め込むことができるように形成した段差部を設ける。
【０１２１】
これにより、弁体形成部材４４３の鍵形部材間に突出部４４１の内側に位置する係止部を係合し、弁座形成部材４４２の水質浄化用カートリッジ収容側の面に弁体形成部材４４３の円板部に当接する面を密着して、厚肉円板部の中心軸回りに 90 度時計回りまたは反時計回りに回動すると、弁座形成部材４４２に設けられた孔４４２ｅに弁体形成部材４４３の孔４４３ｅまたは孔４４３ｆが同一中心軸上に揃うことにより、それぞれ浄水側流路または原水側流路に対する弁開状態となり、混合水が開弁側の流路を通過するようになる。
【０１２２】
吐出切換弁４５０は、弁体４５０ａが仕切部材４２５の下流側で集合通過部材４２６から僅かに隙間をあけた直近の下流に配置され、弁体４５０ａの下面をストレート吐出用流路形成部材４２７の上端に形成された開口４２７ａに接触できる直近の位置に配置して、ストレート吐出用流路形成部材４２７の蓋として上部から覆いかぶさることができるようにし、また、切換レバー４５１の操作によって、弁体４５０ａが開口４２７ａの真上の位置から弁体４５０ａの全体が開口４２７ａの位置から外れるまでの範囲で、弁体４５０ａがストレート吐出用流路形成部材４２７の上端に出入り自在に回動できるように、切換レバー４５１の回動角度を設定する。
【０１２３】
〔作用効果〕
このように構成した第４実施形態では、把持部４１０のホース接続部４１４側の端部に設けられた流路切換弁４４０の突出部４４１を把持部４１０の外周面に沿って回動することにより浄水と原水とを切り換えることができ、また、吐出切換弁４５０の切換レバー４５１を操作することにより、浄水と原水との切換えとは独立に、ストレート吐出とシャワー吐出とを切り換えることができるようになる。
【０１２４】
いま、流路切換弁４４０の突出部４４１を操作して、図８４〜８６に示すように、流路切換弁４４０を浄水吐出位置に設定した場合、流路切換弁４４０の弁座側に穿設された孔４４２ｅに弁体側に穿設された孔４４３ｅの位置が同軸的に一致して、水質浄化用カートリッジ４３０の中央空間部４３２を流路切換弁４４０の入口側と連通した開状態にする。
このとき、混合水が把持部４１０のホース接続部４１４側から把持部４１０内に流入し、流入した混合水が流路切換弁４４０の弁座側に穿設された孔４４２ｅ、弁体側に穿設された孔４４３ｅおよびカートリッジ受け４１７の内面側の流路４１７ｂを介して水質浄化用カートリッジ４３０の中央空間部４３２に達し、この中央空間部４３２からフィルタ４３５および水質浄化材４３３を透過して水質を浄化しつつ外周側流路４３１に流出し、この外周側流路４３１が頭部４２０の空間４２０ａと連通しているから、浄化された混合水が外周側流路４３１からリブ４１１ｂ，…，４１１ｂの間を通り抜けて頭部４２０の空間４２０ａに流出する。そして、この空間４２０ａから集合通過部材４２６を介して吐出切換弁４５０の設定に従い、ストレート吐出流路４２７ｂまたはシャワー吐出面上流側空間４２０ｃに流入して、ストレート吐出またはシャワー吐出する。
【０１２５】
次に、この浄水吐出をしている場合に、流路切換弁４４０の突出部４４１を把持部４１０の外周面に沿い所定方向へ必要角度回動して、図９０〜９２に示すように、流路切換弁４４０を原水吐出位置に設定した場合、流路切換弁４４０の弁座側に穿設された孔４４２ｅに弁体側に穿設された孔４４３ｆの位置が同軸的に一致して、水質浄化用カートリッジ４３０の外周側流路４３１を流路切換弁４４０の入口側と連通した開状態にし、水質浄化用カートリッジ４３０の中央空間部４３２を流路切換弁４４０の入口側と遮断した閉状態にする。
【０１２６】
このときには、把持部４１０のホース接続側から混合水が流入してくると、流路切換弁４４０の弁座側に穿設された孔４４２ｅ、弁体側に穿設された孔４４３ｆ、およびカートリッジ受け４１７の外周側の流路４１７ａを介して水質浄化用カートリッジ４３０の外周側流路４３１に流入し、混合水が浄化されずに、そのまま外周側流路４３１から頭部４２０の空間４２０ａに流出する。そして、この空間４２０ａから集合通過部材４２６を介して吐出切換弁４５０の設定に従いストレート吐出流路４２７ｂまたはシャワー吐出面上流側空間４２０ｃに流入して、ストレート吐出またはシャワー吐出する。
その後、流路切換弁４４０の突出部４４１を把持部４１０の外周面に沿って、原水吐出の場合と逆方向へ同じ角度回動すると、図８４〜８６に示すような浄水吐出の場合に戻り、浄水を吐出することができるようになる。
【０１２７】
また、吐出切換弁４５０の操作については、流路切換弁４４０の操作とは独立にでき、ストレート吐出とシャワー吐出とを任意に設定することができる。
まず、切換レバー４５１を操作して弁軸の軸心を中心にしてストレート吐出側に回動すると、弁体４５０ａがストレート吐出用流路形成部材４２７の開口４２７ａの位置から外れ、集合通過部材４２６から流出する混合水がストレート吐出用流路形成部材４２７の開口４２７ａへ流入し、ストレート吐出流路４２７ｂの内部を通過してストレート吐出口４２２から吐出するようになる。
【０１２８】
そして、切換レバー４５１がストレート吐出側に設定されている場合に、切換レバー４５１を反対方向へ操作して、弁軸の軸心を中心にしてシャワー吐出側に回動すると、図８５または９１に示すように、弁体４５０ａの皿部４５０ｂがストレート吐出用流路形成部材４２７の開口４２７ａの上部に位置して開口４２７ａを塞ぎ、集合通過部材４２６から流出する混合水が弁体４５０ａの皿部４５０ｂに阻まれてストレート吐出用流路形成部材４２７の周囲に流出し、仕切部材４２５とシャワープレート４２１によって形成されたシャワー吐出面上流側空間４２０ｃを介してシャワー吐出口４２３から吐出するようになる。
その後、切換レバー４５１を操作して弁軸の軸心を中心にしてストレート吐出側に回動すると、前述のように、ストレート吐出口４２２から吐出するようになる。
【０１２９】
これにより、流路切換弁４４０の突出部４４１を把持部４１０の中心軸回りかつ外周面に沿って回動することにより、浄水吐出と原水吐出とを容易に切り換えることができ、浄水吐出時には、混合水が水質浄化用カートリッジ４３０の中央空間部４３２から外周側流路４３１へと、水質浄化材４３３を通過する際に浄化されるようになる。
これに加えて、吐出切換弁４５０が流路切換弁４４０と完全に独立しているため、原水と浄水のどちらが吐出される場合であっても、ストレート吐出またはシャワー吐出のいずれかを選択して吐出させることができ、４種類の利用可能な形態が選択できるようになる。
【符号の説明】
【０１３０】
１００，２００，３００，４００  浄水機能付きシャワーヘッド
１１０，２１０，３１０，４１０  把持部
１１１，１１２，２１１，２１２，３１１，３１２，４１１，４１２    筒部
１１１ａ，２１１ａ，３１１ａ，４１１ａ  （長方形の）孔
１１２ａ，４１１ｂ  リブ
１１２ｂ，２１２ｂ  端面
１１３，２１３，３１３，４１３  中継部
１１３ａ，３１３ａ  円筒内面
１１３ｂ，３１３ｂ  雌ねじ
１１３ｃ，２１３ｃ，３１３ｃ，４１３ｃ  雄ねじ
１１３ｄ，３１３ｄ  円筒内面
１１３ｅ，２１３ｅ，３１３ｅ，４１３ｅ  円筒外面
１１４，２１４，３１４，４１４  ホース接続部
１１４ａ，２１４ａ，３１４ａ，４１４ａ  突起部
１１５，２１５，３１５，３１５  ホース取付ねじ
１１６，２１６，２１７，３１６，３１７，４１７  カートリッジ受け
１１６ａ，２１６ａ，３１６ａ  （外周側の）流路
１１６ｂ，２１６ｂ，３１６ｂ  （内面側の）流路
２１７ａ，３１７ａ，４１７ａ  （外周側の）流路
２１７ｂ，３１７ｂ，４１７ｂ  （内面側の）流路
１２０，２２０，３２０，４２０  頭部
１２０ａ，２２０ａ，３２０ａ，４２０ａ  空間（空洞）
１２０ｂ，２２０ｂ，３２０ｂ，４２０ｂ  頭部外皮
１２０ｃ，２２０ｃ，３２０ｃ，４２０ｃ  シャワー吐出面上流側空間（吐出切換弁収容空間）
１２１，２２１，３２１，４２１  シャワープレート
１２１ａ  円板部
１２１ｂ  張出部
１２１ｃ  多条雌ねじ
１２１ｄ  段差部
１２１ｅ  凹部
１２１ｆ  突出部
１２２，２２２，３２２，４２２  ストレート吐出口
１２３，２２３，３２３，４２３  シャワー吐出口
１２４  軸孔
１２５，２２５，３２５，４２５  仕切部材
１２５ａ  円盤状仕切板
１２５ｂ，１２５ｃ  環状部材
１２５ｄ  嵌合孔
１２５ｅ  多条雄ねじ
１２５ｆ  Ｏリング溝
１２６，２２６，３２６，４２６  集合通過部材
１２６ａ  円柱部
１２６ｂ  溝
１２６ｃ  光芒
１２６ｄ  鍔部
１２７，２２７，３２７，４２７  ストレート吐出用流路形成部材
１２７ａ，２２７ａ，３２７ａ，４２７ａ  開口
１２７ｂ，２２７ｂ，３２７ｂ，４２７ｂ  ストレート吐出流路
１３０，２３０，３３０，４３０  水質浄化用カートリッジ
１３１，２３１，３３１，４３１  外周側流路
１３２，２３２，３３２，４３２  中央空間部
１３３，２３３，３３３，４３３  水質浄化材
１３４，２３５，３３４，４３５  フィルタ
１４０，２４０，３４０，４４０  流路切換弁
１４１，２４１，３４１，４４１  突出部
１４１ａ，２４１ａ  指掛部
１４１ｂ，２４１ｂ  操作部材
１４１ｃ，２４１ｃ  係止部
１４２，２４２，３４２，４４２  弁座形成部材
１４２ａ，２４２ａ  円板部
１４２ｂ，２４２ｂ  周縁突出部
１４２ｃ，２４２ｃ  弁体嵌合部
１４２ｄ，２４２ｄ  厚肉部
１４２ｅ，２４２ｅ  孔
１４２ｆ，２４２ｆ，３４２ｆ，４４２ｆ  Ｏリング溝
１４３，２４３，３４３，４４３  弁体形成部材
１４３ａ，２４３ａ  厚肉円板部
１４３ｂ，２４３ｂ  外筒部
１４３ｃ，２４３ｃ  厚肉部
１４３ｄ，２４３ｄ  Ｏリング溝
１４３ｅ，２４３ｅ，３４３ｅ，４４３ｅ  孔
１４３ｆ，２４３ｆ，３４３ｆ，４４３ｆ  孔
１４３ｇ，２４３ｇ，３４３ｇ  溝
１４３ｈ，１４３ｉ，２４３ｈ，２４３ｉ，３４３ｈ，３４３ｉ  鍵形部材
１５０，２５０，３５０，４５０  吐出切換弁
１５０ａ，２５０ａ，３５０ａ，４５０ａ  弁体
１５０ｂ，２５０ｂ，３５０ｂ，４５０ｂ  皿部
１５０ｃ  アーム部
１５０ｄ  嵌合孔
１５０ｅ  軸結合部
１５１，２５１，３５１，４５１  切換レバー
１５１ａ  弁軸
１５１ｂ  レバー部
１５１ｃ  指掛け部
１５１ｄ  凹部
１５１ｅ  弾性係止部
【図１】
2010203228.tif 000003
【図２】
2010203228.tif 000004
【図３】
2010203228.tif 000005
【図４】
2010203228.tif 000006
【図５】
2010203228.tif 000007
【図６】
2010203228.tif 000008
【図７】
2010203228.tif 000009
【図８】
2010203228.tif 000010
【図９】
2010203228.tif 000011
【図１０】
2010203228.tif 000012
【図１１】
2010203228.tif 000013
【図１２】
2010203228.tif 000014
【図１３】
2010203228.tif 000015
【図１４】
2010203228.tif 000016
【図１５】
2010203228.tif 000017
【図１６】
2010203228.tif 000018
【図１７】
2010203228.tif 000019
【図１８】
2010203228.tif 000020
【図１９】
2010203228.tif 000021
【図２０】
2010203228.tif 000022
【図２１】
2010203228.tif 000023
【図２２】
2010203228.tif 000024
【図２３】
2010203228.tif 000025
【図２４】
2010203228.tif 000026
【図２５】
2010203228.tif 000027
【図２６】
2010203228.tif 000028
【図２７】
2010203228.tif 000029
【図２８】
2010203228.tif 000030
【図２９】
2010203228.tif 000031
【図３０】
2010203228.tif 000032
【図３１】
2010203228.tif 000033
【図３２】
2010203228.tif 000034
【図３３】
2010203228.tif 000035
【図３４】
2010203228.tif 000036
【図３５】
2010203228.tif 000037
【図３６】
2010203228.tif 000038
【図３７】
2010203228.tif 000039
【図３８】
2010203228.tif 000040
【図３９】
2010203228.tif 000041
【図４０】
2010203228.tif 000042
【図４１】
2010203228.tif 000043
【図４２】
2010203228.tif 000044
【図４３】
2010203228.tif 000045
【図４４】
2010203228.tif 000046
【図４５】
2010203228.tif 000047
【図４６】
2010203228.tif 000048
【図４７】
2010203228.tif 000049
【図４８】
2010203228.tif 000050
【図４９】
2010203228.tif 000051
【図５０】
2010203228.tif 000052
【図５１】
2010203228.tif 000053
【図５２】
2010203228.tif 000054
【図５３】
2010203228.tif 000055
【図５４】
2010203228.tif 000056
【図５５】
2010203228.tif 000057
【図５６】
2010203228.tif 000058
【図５７】
2010203228.tif 000059
【図５８】
2010203228.tif 000060
【図５９】
2010203228.tif 000061
【図６０】
2010203228.tif 000062
【図６１】
2010203228.tif 000063
【図６２】
2010203228.tif 000064
【図６３】
2010203228.tif 000065
【図６４】
2010203228.tif 000066
【図６５】
2010203228.tif 000067
【図６６】
2010203228.tif 000068
【図６７】
2010203228.tif 000069
【図６８】
2010203228.tif 000070
【図６９】
2010203228.tif 000071
【図７０】
2010203228.tif 000072
【図７１】
2010203228.tif 000073
【図７２】
2010203228.tif 000074
【図７３】
2010203228.tif 000075
【図７４】
2010203228.tif 000076
【図７５】
2010203228.tif 000077
【図７６】
2010203228.tif 000078
【図７７】
2010203228.tif 000079
【図７８】
2010203228.tif 000080
【図７９】
2010203228.tif 000081
【図８０】
2010203228.tif 000082
【図８１】
2010203228.tif 000083
【図８２】
2010203228.tif 000084
【図８３】
2010203228.tif 000085
【図８４】
2010203228.tif 000086
【図８５】
2010203228.tif 000087
【図８６】
2010203228.tif 000088
【図８７】
2010203228.tif 000089
【図８８】
2010203228.tif 000090
【図８９】
2010203228.tif 000091
【図９０】
2010203228.tif 000092
【図９１】
2010203228.tif 000093
【図９２】
2010203228.tif 000094